(57)【特許請求の範囲】
【請求項１】
制御部と記憶部と表示部とを少なくとも備えたＢＩＭシステムであって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部は、
入力される作成条件に対応する前記ＢＩＭパーツを、前記パーツ情報記憶手段に記憶された前記パーツ情報を用いて作成する昇降機モデリング手段と、
前記ＢＩＭモデル記憶手段に記憶された前記ＢＩＭモデルが表す建築物における運搬物に関する検討条件と、前記ＢＩＭモデル記憶手段に記憶された前記ＢＩＭモデルに含まれる建築物に関する建物情報と、前記昇降機モデリング手段により作成された前記ＢＩＭパーツとに基づいて、当該ＢＩＭパーツが表す昇降機を用いた前記運搬物の搬出入に関するシミュレーションを実行する解析手段と、
前記昇降機モデリング手段により作成された前記ＢＩＭパーツが表す昇降機を前記ＢＩＭモデルが表す建築物に組み込んだ状態で、前記解析手段により実行された前記運搬物の搬出入に関するシミュレーションの結果を前記表示部に表示させる画面表示手段と、
を備え、
前記昇降機モデリング手段は、
前記運搬物のサイズ情報に基づいて、特殊形状の前記運搬物を運搬可能である拡張機能を備えた昇降機の前記ＢＩＭパーツを、前記パーツ情報記憶手段に記憶されたパーツ情報を用いて作成し、
前記画面表示手段は、
前記運搬物の搬出入に関するシミュレーションの結果として、前記昇降機モデリング手段により作成された前記ＢＩＭパーツが表す拡張機能を備えた昇降機における前記特殊形状の運搬物の運搬時の取り回し方法を含むレイアウト画面を前記表示部に表示させることを特徴とする、
ＢＩＭシステム。
【請求項２】
前記解析手段は、
前記検討条件と、前記建物情報と、前記昇降機モデリング手段が作成した前記ＢＩＭパーツとに基づいて、前記ＢＩＭモデルが表す建築物内の設置位置に前記運搬物を搬入するための搬入経路、又は、前記ＢＩＭモデルが表す建築物内の設置位置から前記運搬物を搬出するための搬出経路を生成し、
前記画面表示手段は、
前記運搬物の搬出入に関するシミュレーションの結果として、前記解析手段により生成された前記搬入経路、又は、前記搬出経路を前記表示部に表示させることを特徴とする、
請求項１に記載のＢＩＭシステム。
【請求項３】
前記解析手段は、
前記検討条件と、前記建物情報と、前記昇降機モデリング手段が作成した前記ＢＩＭパーツとに基づいて、前記運搬物の搬出入の際の当該運搬物を運搬する人員の配置計画を生成し、
前記画面表示手段は、
前記運搬物の搬出入に関するシミュレーションの結果として、前記解析手段により生成された前記運搬物を運搬する人員の配置計画を前記表示部に表示させることを特徴とする、
請求項１又は請求項２に記載のＢＩＭシステム。
【請求項４】
前記解析手段は、
前記検討条件と、前記建物情報と、前記昇降機モデリング手段が作成した前記ＢＩＭパーツとに基づいて、前記運搬物の搬出入の際の注意箇所を検出し、
前記画面表示手段は、
前記運搬物の搬出入に関するシミュレーションの結果として、前記解析手段により検出された前記注意箇所を前記表示部に表示させることを特徴とする、
請求項１乃至請求項３のいずれか１項に記載のＢＩＭシステム。
【請求項５】
制御部と記憶部とを少なくとも備えたサーバ装置、及び、制御部と表示部とを少なくとも備えた端末装置、を通信可能に接続したＢＩＭシステムであって、
前記サーバ装置の前記記憶部は、
建築物のＢＩＭモデルに組込可能な昇降機のＢＩＭパーツを作成するためのパーツ情報を記憶するパーツ情報記憶手段、
を備え、
前記サーバ装置の前記制御部は、
前記端末装置から送信される作成条件に対応する前記ＢＩＭパーツを、前記パーツ情報記憶手段に記憶された前記パーツ情報を用いて作成する昇降機モデリング手段と、
前記端末装置から送信される前記ＢＩＭモデルが表す建築物における運搬物に関する検討条件と、前記ＢＩＭモデルに含まれる建築物に関する建物情報と、前記昇降機モデリング手段により作成された前記ＢＩＭパーツとに基づいて、当該ＢＩＭパーツが表す昇降機を用いた前記運搬物の搬出入に関するシミュレーションを実行する解析手段と、
前記昇降機モデリング手段により作成された前記ＢＩＭパーツと、前記解析手段により実行された前記運搬物の搬出入に関するシミュレーションの結果とを前記端末装置へ送信する情報提供手段と、
を備え、
前記端末装置の前記制御部は、
前記情報提供手段により前記サーバ装置から送信された前記ＢＩＭパーツが表す昇降機を前記ＢＩＭモデルが表す建築物に組み込んだ状態で、前記情報提供手段により前記サーバ装置から送信された前記運搬物の搬出入に関するシミュレーションの結果を前記表示部に表示させる画面表示手段、
を備え、
前記昇降機モデリング手段は、
前記運搬物のサイズ情報に基づいて、特殊形状の前記運搬物を運搬可能である拡張機能を備えた昇降機の前記ＢＩＭパーツを、前記パーツ情報記憶手段に記憶されたパーツ情報を用いて作成し、
前記画面表示手段は、
前記運搬物の搬出入に関するシミュレーションの結果として、前記情報提供手段により前記サーバ装置から送信された前記ＢＩＭパーツが表す拡張機能を備えた昇降機における前記特殊形状の運搬物の運搬時の取り回し方法を含むレイアウト画面を前記表示部に表示させることを特徴とするＢＩＭシステム。
【請求項６】
表示部を少なくとも備えた端末装置に通信可能に接続された、制御部と記憶部とを少なくとも備えたサーバ装置であって、
前記記憶部は、
建築物のＢＩＭモデルに組込可能な昇降機のＢＩＭパーツを作成するためのパーツ情報を記憶するパーツ情報記憶手段、
を備え、
前記制御部は、
前記端末装置から送信される作成条件に対応する前記ＢＩＭパーツを、前記パーツ情報記憶手段に記憶された前記パーツ情報を用いて作成する昇降機モデリング手段と、
前記端末装置から送信される前記ＢＩＭモデルが表す建築物における運搬物に関する検討条件と、前記ＢＩＭモデルに含まれる建築物に関する建物情報と、前記昇降機モデリング手段により作成された前記ＢＩＭパーツとに基づいて、当該ＢＩＭパーツが表す昇降機を用いた前記運搬物の搬出入に関するシミュレーションを実行する解析手段と、
前記昇降機モデリング手段により作成された前記ＢＩＭパーツと、前記解析手段により実行された前記運搬物の搬出入に関するシミュレーションの結果とを前記端末装置へ送信する情報提供手段と、
を備え、
前記昇降機モデリング手段は、
前記運搬物のサイズ情報に基づいて、特殊形状の前記運搬物を運搬可能である拡張機能を備えた昇降機の前記ＢＩＭパーツを、前記パーツ情報記憶手段に記憶されたパーツ情報を用いて作成し、
前記端末装置において、前記サーバ装置から送信された前記ＢＩＭパーツが表す昇降機を前記ＢＩＭモデルが表す建築物に組み込んだ状態で、前記サーバ装置から送信された前記運搬物の搬出入に関するシミュレーションの結果を前記表示部に表示させ、当該運搬物の搬出入に関するシミュレーションの結果として、前記サーバ装置から送信された前記ＢＩＭパーツが表す拡張機能を備えた昇降機における前記特殊形状の運搬物の運搬時の取り回し方法を含むレイアウト画面を前記表示部に表示させることを特徴とするサーバ装置。
【請求項７】
制御部と記憶部とを少なくとも備えたサーバ装置、及び、制御部と表示部とを少なくとも備えた端末装置、を通信可能に接続したＢＩＭシステムであって、
前記サーバ装置の前記記憶部は、
建築物のＢＩＭモデルに組込可能な昇降機のＢＩＭパーツを作成するためのパーツ情報を記憶するパーツ情報記憶手段、
を備え、
前記サーバ装置の前記制御部は、
前記端末装置から送信される作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを前記端末装置へ送信する情報提供手段と、
を備え、
前記端末装置の前記制御部は、
前記ＢＩＭモデルが表す建築物における運搬物に関する検討条件と、前記ＢＩＭモデルに含まれる建築物に関する建物情報と、前記情報提供手段により前記サーバ装置から送信された前記ＢＩＭパーツとに基づいて、当該ＢＩＭパーツが表す昇降機を用いた前記運搬物の搬出入に関するシミュレーションを実行する解析手段と、
前記情報提供手段により前記サーバ装置から送信された前記ＢＩＭパーツが表す昇降機を前記ＢＩＭモデルが表す建築物に組み込んだ状態で、前記解析手段により実行された前記運搬物の搬出入に関するシミュレーションの結果を前記表示部に表示させる画面表示手段と、
を備え、
前記昇降機モデリング手段は、
前記運搬物のサイズ情報に基づいて、特殊形状の前記運搬物を運搬可能である拡張機能を備えた昇降機の前記ＢＩＭパーツを、前記パーツ情報記憶手段に記憶されたパーツ情報を用いて作成し、
前記画面表示手段は、
前記運搬物の搬出入に関するシミュレーションの結果として、前記情報提供手段により前記サーバ装置から送信された前記ＢＩＭパーツが表す拡張機能を備えた昇降機における前記特殊形状の運搬物の運搬時の取り回し方法を含むレイアウト画面を前記表示部に表示させることを特徴とするＢＩＭシステム。
【請求項８】
表示部を少なくとも備えた端末装置に通信可能に接続された、制御部と記憶部とを少なくとも備えたサーバ装置であって、
前記記憶部は、
建築物のＢＩＭモデルに組込可能な昇降機のＢＩＭパーツを作成するためのパーツ情報を記憶するパーツ情報記憶手段、
を備え、
前記制御部は、
前記端末装置から送信される作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを前記端末装置へ送信する情報提供手段と、
を備え、
前記昇降機モデリング手段は、
前記運搬物のサイズ情報に基づいて、特殊形状の前記運搬物を運搬可能である拡張機能を備えた昇降機の前記ＢＩＭパーツを、前記パーツ情報記憶手段に記憶されたパーツ情報を用いて作成し、
前記端末装置において、前記ＢＩＭモデルが表す建築物における運搬物に関する検討条件と、前記ＢＩＭモデルに含まれる建築物に関する建物情報と、前記情報提供手段により前記サーバ装置から送信された前記ＢＩＭパーツとに基づいて、当該ＢＩＭパーツが表す昇降機を用いた前記運搬物の搬出入に関するシミュレーションを実行させ、前記情報提供手段により前記サーバ装置から送信された前記ＢＩＭパーツが表す昇降機を前記ＢＩＭモデルが表す建築物に組み込んだ状態で、前記運搬物の搬出入に関するシミュレーションの結果を前記表示部に表示させ、当該運搬物の搬出入に関するシミュレーションの結果として、前記情報提供手段により前記サーバ装置から送信された前記ＢＩＭパーツが表す拡張機能を備えた昇降機における前記特殊形状の運搬物の運搬時の取り回し方法を含むレイアウト画面を前記表示部に表示させることを特徴とするサーバ装置。
【請求項９】
サーバ装置に通信可能に接続された、制御部と表示部とを少なくとも備えた端末装置であって、
前記制御部は、
建築物のＢＩＭモデルが表す建築物における運搬物に関する検討条件と、前記ＢＩＭモデルに含まれる建築物に関する建物情報と、作成条件に対応して前記サーバ装置で作成され当該サーバ装置から送信された、前記ＢＩＭモデルに組込可能な昇降機のＢＩＭパーツとに基づいて、当該ＢＩＭパーツが表す昇降機を用いた前記運搬物の搬出入に関するシミュレーションを実行する解析手段と、
前記サーバ装置から送信された前記ＢＩＭパーツが表す昇降機を、前記ＢＩＭモデルが表す建築物に組み込んだ状態で、前記解析手段により実行された前記運搬物の搬出入に関するシミュレーションの結果を前記表示部に表示させる画面表示手段と、
を備え、
前記サーバ装置は、前記運搬物のサイズ情報に基づいて、特殊形状の前記運搬物を運搬可能である拡張機能を備えた昇降機の前記ＢＩＭパーツを作成し、当該作成した前記ＢＩＭパーツを前記端末装置へ送信し、
前記画面表示手段は、
前記運搬物の搬出入に関するシミュレーションの結果として、前記サーバ装置から送信された前記ＢＩＭパーツが表す拡張機能を備えた昇降機における前記特殊形状の運搬物の運搬時の取り回し方法を含むレイアウト画面を前記表示部に表示させることを特徴とする端末装置。
【請求項１０】
制御部と記憶部と表示部とを少なくとも備えたＢＩＭシステムにおいて実行される方法であって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部において実行される、
入力される作成条件に対応する前記ＢＩＭパーツを、前記パーツ情報記憶手段に記憶された前記パーツ情報を用いて作成する昇降機モデリングステップと、
前記ＢＩＭモデル記憶手段に記憶された前記ＢＩＭモデルが表す建築物における運搬物に関する検討条件と、前記ＢＩＭモデル記憶手段に記憶された前記ＢＩＭモデルに含まれる建築物に関する建物情報と、前記昇降機モデリングステップにて作成された前記ＢＩＭパーツとに基づいて、当該ＢＩＭパーツが表す昇降機を用いた前記運搬物の搬出入に関するシミュレーションを実行する解析ステップと、
前記昇降機モデリングステップにて作成された前記ＢＩＭパーツが表す昇降機を前記ＢＩＭモデルが表す建築物に組み込んだ状態で、前記解析ステップにて実行された前記運搬物の搬出入に関するシミュレーションの結果を前記表示部に表示させる画面表示ステップと、
を含み、
前記昇降機モデリングステップでは、
前記運搬物のサイズ情報に基づいて、特殊形状の前記運搬物を運搬可能である拡張機能を備えた昇降機の前記ＢＩＭパーツを、前記パーツ情報記憶手段に記憶されたパーツ情報を用いて作成し、
前記画面表示ステップでは、
前記運搬物の搬出入に関するシミュレーションの結果として、前記昇降機モデリングステップにて作成された前記ＢＩＭパーツが表す拡張機能を備えた昇降機における前記特殊形状の運搬物の運搬時の取り回し方法を含むレイアウト画面を前記表示部に表示させることを特徴とする方法。
【請求項１１】
制御部と記憶部とを少なくとも備えたサーバ装置、及び、制御部と表示部とを少なくとも備えた端末装置、を通信可能に接続したＢＩＭシステムにおいて実行される方法であって、
前記サーバ装置の前記記憶部は、
建築物のＢＩＭモデルに組込可能な昇降機のＢＩＭパーツを作成するためのパーツ情報を記憶するパーツ情報記憶手段、
を備え、
前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、
前記サーバ装置の前記制御部において実行される、前記端末装置から送信される前記ＢＩＭモデルが表す建築物における運搬物に関する検討条件と、前記ＢＩＭモデルに含まれる建築物に関する建物情報と、前記昇降機モデリングステップにて作成された前記ＢＩＭパーツとに基づいて、当該ＢＩＭパーツが表す昇降機を用いた前記運搬物の搬出入に関するシミュレーションを実行する解析ステップと、
前記サーバ装置の前記制御部において実行される、前記昇降機モデリングステップにて作成された前記ＢＩＭパーツと、前記解析ステップにて実行された前記運搬物の搬出入に関するシミュレーションの結果とを前記端末装置へ送信する情報提供ステップと、
前記端末装置の前記制御部において実行される、前記情報提供ステップにて前記サーバ装置から送信された前記ＢＩＭパーツが表す昇降機を前記ＢＩＭモデルが表す建築物に組み込んだ状態で、前記情報提供ステップにて前記サーバ装置から送信された前記運搬物の搬出入に関するシミュレーションの結果を前記表示部に表示させる画面表示ステップと、
を含み、
前記昇降機モデリングステップでは、
前記運搬物のサイズ情報に基づいて、特殊形状の前記運搬物を運搬可能である拡張機能を備えた昇降機の前記ＢＩＭパーツを、前記パーツ情報記憶手段に記憶されたパーツ情報を用いて作成し、
前記画面表示ステップでは、
前記運搬物の搬出入に関するシミュレーションの結果として、前記情報提供ステップにて前記サーバ装置から送信された前記ＢＩＭパーツが表す拡張機能を備えた昇降機における前記特殊形状の運搬物の運搬時の取り回し方法を含むレイアウト画面を前記表示部に表示させることを特徴とする方法。
【請求項１２】
表示部を少なくとも備えた端末装置に通信可能に接続された、制御部と記憶部とを少なくとも備えたサーバ装置において実行される方法であって、
前記記憶部は、
建築物のＢＩＭモデルに組込可能な昇降機のＢＩＭパーツを作成するためのパーツ情報を記憶するパーツ情報記憶手段、
を備え、
前記制御部において実行される、
前記端末装置から送信される作成条件に対応する前記ＢＩＭパーツを、前記パーツ情報記憶手段に記憶された前記パーツ情報を用いて作成する昇降機モデリングステップと、
前記端末装置から送信される前記ＢＩＭモデルが表す建築物における運搬物に関する検討条件と、前記ＢＩＭモデルに含まれる建築物に関する建物情報と、前記昇降機モデリングステップにて作成された前記ＢＩＭパーツとに基づいて、当該ＢＩＭパーツが表す昇降機を用いた前記運搬物の搬出入に関するシミュレーションを実行する解析ステップと、
前記昇降機モデリングステップにて作成された前記ＢＩＭパーツと、前記解析ステップにて実行された前記運搬物の搬出入に関するシミュレーションの結果とを前記端末装置へ送信する情報提供ステップと、
を含み、
前記昇降機モデリングステップでは、
前記運搬物のサイズ情報に基づいて、特殊形状の前記運搬物を運搬可能である拡張機能を備えた昇降機の前記ＢＩＭパーツを、前記パーツ情報記憶手段に記憶されたパーツ情報を用いて作成し、
前記端末装置において、前記サーバ装置から送信された前記ＢＩＭパーツが表す昇降機を前記ＢＩＭモデルが表す建築物に組み込んだ状態で、前記サーバ装置から送信された前記運搬物の搬出入に関するシミュレーションの結果を前記表示部に表示させ、当該運搬物の搬出入に関するシミュレーションの結果として、前記サーバ装置から送信された前記ＢＩＭパーツが表す拡張機能を備えた昇降機における前記特殊形状の運搬物の運搬時の取り回し方法を含むレイアウト画面を前記表示部に表示させることを特徴とする方法。
【請求項１３】
制御部と記憶部とを少なくとも備えたサーバ装置、及び、制御部と表示部とを少なくとも備えた端末装置、を通信可能に接続したＢＩＭシステムにおいて実行される方法であって、
前記サーバ装置の前記記憶部は、
建築物のＢＩＭモデルに組込可能な昇降機のＢＩＭパーツを作成するためのパーツ情報を記憶するパーツ情報記憶手段、
を備え、
前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、
前記サーバ装置の前記制御部において実行される、前記昇降機モデリングステップにて作成された前記ＢＩＭパーツを前記端末装置へ送信する情報提供ステップと、
前記端末装置の前記制御部において実行される、前記ＢＩＭモデルが表す建築物における運搬物に関する検討条件と、前記ＢＩＭモデルに含まれる建築物に関する建物情報と、前記情報提供ステップにて前記サーバ装置から送信された前記ＢＩＭパーツとに基づいて、当該ＢＩＭパーツが表す昇降機を用いた前記運搬物の搬出入に関するシミュレーションを実行する解析ステップと、
前記端末装置の前記制御部において実行される、前記情報提供ステップにて前記サーバ装置から送信された前記ＢＩＭパーツが表す昇降機を前記ＢＩＭモデルが表す建築物に組み込んだ状態で、前記解析ステップにて実行された前記運搬物の搬出入に関するシミュレーションの結果を前記表示部に表示させる画面表示ステップと、
を含み、
前記昇降機モデリングステップでは、
前記運搬物のサイズ情報に基づいて、特殊形状の前記運搬物を運搬可能である拡張機能を備えた昇降機の前記ＢＩＭパーツを、前記パーツ情報記憶手段に記憶されたパーツ情報を用いて作成し、
前記画面表示ステップでは、
前記運搬物の搬出入に関するシミュレーションの結果として、前記情報提供ステップにて前記サーバ装置から送信された前記ＢＩＭパーツが表す拡張機能を備えた昇降機における前記特殊形状の運搬物の運搬時の取り回し方法を含むレイアウト画面を前記表示部に表示させることを特徴とする方法。
【請求項１４】
表示部を少なくとも備えた端末装置に通信可能に接続された、制御部と記憶部とを少なくとも備えたサーバ装置において実行される方法であって、
前記記憶部は、
建築物のＢＩＭモデルに組込可能な昇降機のＢＩＭパーツを作成するためのパーツ情報を記憶するパーツ情報記憶手段、
を備え、
前記制御部において実行される、
前記端末装置から送信される作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを前記端末装置へ送信する情報提供ステップと、
を含み、
前記昇降機モデリングステップでは、
前記運搬物のサイズ情報に基づいて、特殊形状の前記運搬物を運搬可能である拡張機能を備えた昇降機の前記ＢＩＭパーツを、前記パーツ情報記憶手段に記憶されたパーツ情報を用いて作成し、
前記端末装置において、前記ＢＩＭモデルが表す建築物における運搬物に関する検討条件と、前記ＢＩＭモデルに含まれる建築物に関する建物情報と、前記情報提供ステップにて前記サーバ装置から送信された前記ＢＩＭパーツとに基づいて、当該ＢＩＭパーツが表す昇降機を用いた前記運搬物の搬出入に関するシミュレーションを実行させ、前記情報提供ステップにて前記サーバ装置から送信された前記ＢＩＭパーツが表す昇降機を前記ＢＩＭモデルが表す建築物に組み込んだ状態で、前記運搬物の搬出入に関するシミュレーションの結果を前記表示部に表示させ、当該運搬物の搬出入に関するシミュレーションの結果として、前記情報提供ステップにて前記サーバ装置から送信された前記ＢＩＭパーツが表す拡張機能を備えた昇降機における前記特殊形状の運搬物の運搬時の取り回し方法を含むレイアウト画面を前記表示部に表示させることを特徴とする方法。
【請求項１５】
サーバ装置に通信可能に接続された、制御部と表示部とを少なくとも備えた端末装置において実行される方法であって、
前記制御部において実行される、
建築物のＢＩＭモデルが表す建築物における運搬物に関する検討条件と、前記ＢＩＭモデルに含まれる建築物に関する建物情報と、作成条件に対応して前記サーバ装置で作成され当該サーバ装置から送信された、前記ＢＩＭモデルに組込可能な昇降機のＢＩＭパーツとに基づいて、当該ＢＩＭパーツが表す昇降機を用いた前記運搬物の搬出入に関するシミュレーションを実行する解析ステップと、
前記サーバ装置から送信された前記ＢＩＭパーツが表す昇降機を、前記ＢＩＭモデルが表す建築物に組み込んだ状態で、前記解析ステップにて実行された前記運搬物の搬出入に関するシミュレーションの結果を前記表示部に表示させる画面表示ステップと、
を含み、
前記サーバ装置は、前記運搬物のサイズ情報に基づいて、特殊形状の前記運搬物を運搬可能である拡張機能を備えた昇降機の前記ＢＩＭパーツを作成し、当該作成した前記ＢＩＭパーツを前記端末装置へ送信し、
前記画面表示ステップでは、
前記運搬物の搬出入に関するシミュレーションの結果として、前記サーバ装置から送信された前記ＢＩＭパーツが表す拡張機能を備えた昇降機における前記特殊形状の運搬物の運搬時の取り回し方法を含むレイアウト画面を前記表示部に表示させることを特徴とする方法。
【請求項１６】
制御部と記憶部と表示部とを少なくとも備えたＢＩＭシステムに実行させるためのプログラムであって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部において、
入力される作成条件に対応する前記ＢＩＭパーツを、前記パーツ情報記憶手段に記憶された前記パーツ情報を用いて作成する昇降機モデリングステップと、
前記ＢＩＭモデル記憶手段に記憶された前記ＢＩＭモデルが表す建築物における運搬物に関する検討条件と、前記ＢＩＭモデル記憶手段に記憶された前記ＢＩＭモデルに含まれる建築物に関する建物情報と、前記昇降機モデリングステップにて作成された前記ＢＩＭパーツとに基づいて、当該ＢＩＭパーツが表す昇降機を用いた前記運搬物の搬出入に関するシミュレーションを実行する解析ステップと、
前記昇降機モデリングステップにて作成された前記ＢＩＭパーツが表す昇降機を前記ＢＩＭモデルが表す建築物に組み込んだ状態で、前記解析ステップにて実行された前記運搬物の搬出入に関するシミュレーションの結果を前記表示部に表示させる画面表示ステップと、
を実行させ、
前記昇降機モデリングステップでは、
前記運搬物のサイズ情報に基づいて、特殊形状の前記運搬物を運搬可能である拡張機能を備えた昇降機の前記ＢＩＭパーツを、前記パーツ情報記憶手段に記憶されたパーツ情報を用いて作成し、
前記画面表示ステップでは、
前記運搬物の搬出入に関するシミュレーションの結果として、前記昇降機モデリングステップにて作成された前記ＢＩＭパーツが表す拡張機能を備えた昇降機における前記特殊形状の運搬物の運搬時の取り回し方法を含むレイアウト画面を前記表示部に表示させることを特徴とするプログラム。
【請求項１７】
表示部を少なくとも備えた端末装置に通信可能に接続された、制御部と記憶部とを少なくとも備えたサーバ装置に実行させるためのプログラムであって、
前記記憶部は、
建築物のＢＩＭモデルに組込可能な昇降機のＢＩＭパーツを作成するためのパーツ情報を記憶するパーツ情報記憶手段、
を備え、
前記制御部において、
前記端末装置から送信される作成条件に対応する前記ＢＩＭパーツを、前記パーツ情報記憶手段に記憶された前記パーツ情報を用いて作成する昇降機モデリングステップと、
前記端末装置から送信される前記ＢＩＭモデルが表す建築物における運搬物に関する検討条件と、前記ＢＩＭモデルに含まれる建築物に関する建物情報と、前記昇降機モデリングステップにて作成された前記ＢＩＭパーツとに基づいて、当該ＢＩＭパーツが表す昇降機を用いた前記運搬物の搬出入に関するシミュレーションを実行する解析ステップと、
前記昇降機モデリングステップにて作成された前記ＢＩＭパーツと、前記解析ステップにて実行された前記運搬物の搬出入に関するシミュレーションの結果とを前記端末装置へ送信する情報提供ステップと、
を実行させ、
前記昇降機モデリングステップでは、
前記運搬物のサイズ情報に基づいて、特殊形状の前記運搬物を運搬可能である拡張機能を備えた昇降機の前記ＢＩＭパーツを、前記パーツ情報記憶手段に記憶されたパーツ情報を用いて作成し、
前記端末装置において、前記サーバ装置から送信された前記ＢＩＭパーツが表す昇降機を前記ＢＩＭモデルが表す建築物に組み込んだ状態で、前記サーバ装置から送信された前記運搬物の搬出入に関するシミュレーションの結果を前記表示部に表示させ、当該運搬物の搬出入に関するシミュレーションの結果として、前記サーバ装置から送信された前記ＢＩＭパーツが表す拡張機能を備えた昇降機における前記特殊形状の運搬物の運搬時の取り回し方法を含むレイアウト画面を前記表示部に表示させることを特徴とするプログラム。
【請求項１８】
表示部を少なくとも備えた端末装置に通信可能に接続された、制御部と記憶部とを少なくとも備えたサーバ装置に実行させるためのプログラムであって、
前記記憶部は、
建築物のＢＩＭモデルに組込可能な昇降機のＢＩＭパーツを作成するためのパーツ情報を記憶するパーツ情報記憶手段、
を備え、
前記制御部において、
前記端末装置から送信される作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを前記端末装置へ送信する情報提供ステップと、
を実行させ、
前記昇降機モデリングステップでは、
前記運搬物のサイズ情報に基づいて、特殊形状の前記運搬物を運搬可能である拡張機能を備えた昇降機の前記ＢＩＭパーツを、前記パーツ情報記憶手段に記憶されたパーツ情報を用いて作成し、
前記端末装置において、前記ＢＩＭモデルが表す建築物における運搬物に関する検討条件と、前記ＢＩＭモデルに含まれる建築物に関する建物情報と、前記情報提供ステップにて前記サーバ装置から送信された前記ＢＩＭパーツとに基づいて、当該ＢＩＭパーツが表す昇降機を用いた前記運搬物の搬出入に関するシミュレーションを実行させ、前記情報提供ステップにて前記サーバ装置から送信された前記ＢＩＭパーツが表す昇降機を前記ＢＩＭモデルが表す建築物に組み込んだ状態で、前記運搬物の搬出入に関するシミュレーションの結果を前記表示部に表示させ、当該運搬物の搬出入に関するシミュレーションの結果として、前記情報提供ステップにて前記サーバ装置から送信された前記ＢＩＭパーツが表す拡張機能を備えた昇降機における前記特殊形状の運搬物の運搬時の取り回し方法を含むレイアウト画面を前記表示部に表示させることを特徴とするプログラム。
【請求項１９】
サーバ装置に通信可能に接続された、制御部と表示部とを少なくとも備えた端末装置に実行させるためのプログラムであって、
前記制御部において、
建築物のＢＩＭモデルが表す建築物における運搬物に関する検討条件と、前記ＢＩＭモデルに含まれる建築物に関する建物情報と、作成条件に対応して前記サーバ装置で作成され当該サーバ装置から送信された、前記ＢＩＭモデルに組込可能な昇降機のＢＩＭパーツとに基づいて、当該ＢＩＭパーツが表す昇降機を用いた前記運搬物の搬出入に関するシミュレーションを実行する解析ステップと、
前記サーバ装置から送信された前記ＢＩＭパーツが表す昇降機を、前記ＢＩＭモデルが表す建築物に組み込んだ状態で、前記解析ステップにて実行された前記運搬物の搬出入に関するシミュレーションの結果を前記表示部に表示させる画面表示ステップと、
を実行させ、
前記サーバ装置は、前記運搬物のサイズ情報に基づいて、特殊形状の前記運搬物を運搬可能である拡張機能を備えた昇降機の前記ＢＩＭパーツを作成し、当該作成した前記ＢＩＭパーツを前記端末装置へ送信し、
前記画面表示ステップでは、
前記運搬物の搬出入に関するシミュレーションの結果として、前記サーバ装置から送信された前記ＢＩＭパーツが表す拡張機能を備えた昇降機における前記特殊形状の運搬物の運搬時の取り回し方法を含むレイアウト画面を前記表示部に表示させることを特徴とするプログラム。
【発明の詳細な説明】
【技術分野】
【０００１】
本発明の実施形態は、ＢＩＭシステム、サーバ装置、端末装置、方法及びプログラムに関する。
【背景技術】
【０００２】
従来、昇降機メーカの担当者は、昇降機を備える建築物を設計する客先に対して、平面図や断面図等の二次元図面及びカタログや納入実績等の写真を使用して、昇降機の設備計画を提案していた。そこで、近年、昇降機の設備計画を提案する際、建築物に昇降機を組み込んだ状態を視覚的に分かりやすく表示する技術が求められていた。
【先行技術文献】
【特許文献】
【０００３】
【特許文献１】特開２０１０−２６２５８０号公報
【発明の概要】
【発明が解決しようとする課題】
【０００４】
本実施形態が解決しようとする課題は、昇降機の設備計画を提案する際、提案する昇降機を視覚的に分かりやすく表示することができるＢＩＭシステム、サーバ装置、端末装置、方法及びプログラムを提供することである。
【課題を解決するための手段】
【０００５】
実施形態のＢＩＭシステムは、制御部と記憶部と表示部とを少なくとも備えたＢＩＭシステムである。前記記憶部は、ＢＩＭモデル記憶手段と、パーツ情報記憶手段と、を備える。ＢＩＭモデル記憶手段は、建築物のＢＩＭモデルを記憶する。パーツ情報記憶手段は、前記ＢＩＭモデルに組込可能な昇降機のＢＩＭパーツを作成するためのパーツ情報を記憶する。前記制御部は、昇降機モデリング手段と、解析手段と、画面表示手段と、を備える。昇降機モデリング手段は、入力される作成条件に対応する前記ＢＩＭパーツを、前記パーツ情報記憶手段に記憶された前記パーツ情報を用いて作成する。解析手段は、検討条件と、建物情報と、前記昇降機モデリング手段により作成された前記ＢＩＭパーツとに基づいて、当該ＢＩＭパーツが表す昇降機を用いた運搬物の搬出入に関するシミュレーションを実行する。前記検討条件は、前記ＢＩＭモデル記憶手段に記憶された前記ＢＩＭモデルが表す建築物における運搬物に関する条件である。前記建物情報は、前記ＢＩＭモデル記憶手段に記憶された前記ＢＩＭモデルに含まれる建築物に関する情報である。画面表示手段は、前記昇降機モデリング手段により作成された前記ＢＩＭパーツが表す昇降機を前記ＢＩＭモデルが表す建築物に組み込んだ状態で、前前記解析手段により実行された前記運搬物の搬出入に関するシミュレーションの結果を前記表示部に表示させる。そして、  前記昇降機モデリング手段は、前記運搬物のサイズ情報に基づいて、特殊形状の前記運搬物を運搬可能である拡張機能を備えた昇降機の前記ＢＩＭパーツを、前記パーツ情報記憶手段に記憶されたパーツ情報を用いて作成する。前記画面表示手段は、前記運搬物の搬出入に関するシミュレーションの結果として、前記昇降機モデリング手段により作成された前記ＢＩＭパーツが表す拡張機能を備えた昇降機における前記特殊形状の運搬物の運搬時の取り回し方法を含むレイアウト画面を前記表示部に表示させる。
【図面の簡単な説明】
【０００６】
【図１】図１は、建築物の設計図書及びＢＩＭモデルの一例を示す概念図である。
【図２】図２は、第１の実施形態におけるＢＩＭシステムの構成の一例を示すブロック図である。
【図３】図３は、昇降機のＢＩＭパーツの一例を示す図である。
【図４】図４は、ＢＩＭモデルにＢＩＭパーツを組み込んだ統合ＢＩＭモデルを含むレイアウト画面の一例を示す図である。
【図５】図５は、搬出入シミュレーションの結果を含むレイアウト画面の一例を示す図である。
【図６】図６は、搬出入シミュレーションの結果を含むレイアウト画面の一例を示す図である。
【図７】図７は、搬出入シミュレーションの結果を含むレイアウト画面の一例を示す図である。
【図８】図８は、搬出入シミュレーションの結果を含むレイアウト画面の一例を示す図である。
【図９】図９は、搬出入シミュレーションの結果を含むレイアウト画面の一例を示す図である。
【図１０】図１０は、搬出入シミュレーションの結果を含むレイアウト画面の一例を示す図である。
【図１１】図１１は、搬出入シミュレーションの結果を含むレイアウト画面の一例を示す図である。
【図１２】図１２は、搬出入シミュレーションの結果を含むレイアウト画面の一例を示す図である。
【図１３】図１３は、第１の実施形態における基本処理の一例を示すフローチャートである。
【図１４】図１４は、第２の実施形態におけるＢＩＭシステムの構成の一例を示すブロック図である。
【図１５】図１５は、第２の実施形態における基本処理の一例を示すフローチャートである。
【図１６】図１６は、第３の実施形態におけるＢＩＭ装置の構成の一例を示すブロック図である。
【図１７】図１７は、第３の実施形態における基本処理の一例を示すフローチャートである。
【発明を実施するための形態】
【０００７】
以下に、実施形態にかかるＢＩＭシステム、サーバ装置、端末装置、方法及びプログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォーメーションモデル）の概要について説明する。図１は、建築物の設計図書及びＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性及び整合性を各々とる必要がある。つまり、建築物の設計図書による設計方法では、例えば関連する設計図書の修正が必要となり、また、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性及び整合性の確認を行うことができる。以下の実施形態では、このＢＩＭを使用した昇降機客先提案システムについて説明する。
【０００９】
以下、実施形態の構成及び処理について、第１の実施形態、第２の実施形態、第３の実施形態の順にて詳細に説明する。
【００１０】
［第１の実施形態］
最初に、第１の実施形態について、図２乃至図１３を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［ＢＩＭシステム１０の構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステム１０は、概略的に、昇降機の３次元モデル（すなわち、昇降機のＢＩＭパーツ）等の情報を提供できるサーバ装置２００、及び、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステム１０の各部は任意の通信路を介して通信可能に接続されている。
【００１３】
図２に示すように、第１の実施形態のＢＩＭシステム１０において、サーバ装置２００は、概略的に、制御部２０２と記憶部２０６とを少なくとも備えている。端末装置１００は、出力部（表示部１１４及び音声出力部１１６）と入力部１１８と制御部１０２と記憶部１０６とを少なくとも備える。
【００１４】
［サーバ装置２００の構成］
ここで、図２において、サーバ装置２００は、端末装置１００から送信される作成条件に対応する昇降機のＢＩＭパーツを、記憶部２０６に記憶されたパーツ情報を用いて作成する機能を有する。そして、サーバ装置２００は、ＢＩＭモデルが表す建築物における運搬物に関する検討条件と、ＢＩＭモデルに含まれる建築物に関する建物情報と、作成されたＢＩＭパーツとに基づいて、ＢＩＭパーツが表す昇降機を用いた前記運搬物の搬出入に関するシミュレーションを実行する機能を有する。そして、サーバ装置２００は、作成されたＢＩＭパーツと、運搬物の搬出入に関するシミュレーションの結果とを端末装置１００へ送信する機能を有する。これにより、サーバ装置２００は、端末装置１００において、ＢＩＭパーツをＢＩＭモデルに組み込んだ状態で運搬物の搬出入に関するシミュレーションの結果を表示部１１４に表示させる機能を有する。
【００１５】
サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００１６】
これら記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。本実施形態において、昇降機は、エレベータ及び乗客コンベアを含む概念であり、乗客コンベアは、エスカレータ及び動く歩道を含む。このパーツ情報データベース２０６ａは、随時、パーツ情報が最新データに更新される。
【００１７】
ここで、パーツ情報は、利用者が建築物のＢＩＭモデルに組み込む昇降機のＢＩＭパーツを設計する上で必要となるあらゆる情報を含む。パーツ情報としては、例えば、用途、定員、許容積載量、動作速度、色、機種等といった昇降機の仕様、昇降機を建築物に設置する際に必要とされるスペース、寸法、各種付属設備、各種配線配管に関する情報などのうちの少なくとも１つを含む。さらに、パーツ情報としては、例えば、昇降機を構成する必要部材の部材強度、価格、寸法、質量、色、素材、材料、固有振動数といった情報の他、納期、在庫状況、据付時間、仕上げ材、耐用年数、メーカ情報、品番型番などのうちの少なくとも１つを含んでもよい。なお、パーツ情報は、上記に限定されない。
【００１８】
より具体的には、本実施形態において、パーツ情報は、例えば、昇降機のＢＩＭパーツを建築物のＢＩＭモデルに組み込む際等に用いられるＢＩＭパーツのサイズ情報等を含んでもよい。また、パーツ情報は、例えば、ＢＩＭパーツをＢＩＭモデルに組み込んだ統合ＢＩＭモデルの動作を解析する際に用いられる動作パラメータ、ＢＩＭパーツを変更する際に用いられる設定パラメータ等を含んでもよい。ＢＩＭパーツのサイズ情報は、例えば、乗りかご内法寸法（間口、幅、奥行き、高さ）、乗りかご扉開口寸法等、ＢＩＭパーツを構成する各ユニット（ファミリ）、構成部品のサイズ情報等を含んでもよい。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配線配管、等が挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管等が挙げられる。動作パラメータは、昇降機の動作速度、動作パターン等を規定するパラメータ等を含んでもよい。設定パラメータは、ＢＩＭパーツを構成する各ユニットのサイズ、色、材質、上記配線配管情報等を規定するパラメータ等を含んでもよい。
【００１９】
また、制御部２０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部２０２は、これらのプログラム等により、種々の処理を実行するための情報処理を行う。制御部２０２は、機能概念的に、条件受信部２０２ａ、昇降機モデリング部２０２ｂ、解析部２０２ｃ、及び、情報提供部２０２ｄを備える。
【００２０】
このうち、条件受信部２０２ａは、端末装置１００から送信される作成条件、検討条件等の種々の条件を受信する条件受信手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。
【００２１】
ここで、端末装置１００から送信される作成条件は、例えば、利用者が所望する昇降機の基本情報、昇降機の仕様に関する昇降機仕様情報、昇降機を設置する建築物に関する建物情報等を含んでもよい。基本情報は、例えば、機種、色、素材、各種寸法、定員、希望の価格、納期、利用者の嗜好性等のうちの少なくとも１つを含んでもよい。昇降機仕様情報は、例えば、昇降機がエレベータの場合、かご内仕様情報及び乗場仕様情報を含んでもよい。かご内仕様情報は、側面、天井、かご操作盤、副操作盤、副操作盤（横）、手すり、鏡、及び、おすすめ仕様等の情報を含んでもよい。乗場仕様情報は、フェースプレート、操作ボタン、インジケーター、ランタン、警報盤、及び、おすすめ仕様等の情報を含んでもよい。建物情報は、対象の建築物の概要、建物用途、建物高さ、階床数、階床名、階高、構造形式、各部の寸法、建物形状、各階床の質量（重さ）、各階床のバネ定数（剛性）、昇降機設置位置、フロア人員、居室の配置、空間関係、地理情報、建物部材の数量や特性、部材強度、耐用年数、各種付属設備、各種配線配管等の情報等のうちの少なくとも１つを含んでもよい。建物情報は、さらに、昇降機を建築物に設置するのに必要な昇降路スペースを規定した昇降路スペース情報を含んでいてもよい。昇降路スペース情報は、例えば昇降機がエレベータの場合、昇降路スペースを規定する間口、奥行、及び、昇降行程等の情報、あるいは、これらの寸法をモデルに反映させた昇降路スペースモデルに関する情報を含んでもよい。また、作成条件は、建物情報等を含め、昇降機が設置される建築物のＢＩＭモデルそのものに関する情報を含んでいてもよい。
【００２２】
さらに、作成条件は、例えば、昇降機に関するシミュレーションで用いられる検討条件を含んでもよい。検討条件は、ＢＩＭパーツが表す昇降機を用いた運搬物の搬出入に関するシミュレーション（以下、単に「搬出入シミュレーション」という場合がある。）で用いられる条件であり、搬出入シミュレーションで必要な各種情報、設定可能な各種指定条件情報を含んでもよい。検討条件は、典型的には、ＢＩＭモデルが表す建築物における運搬物に関する条件であり、当該建築物において搬出入したい所望の運搬物に関する条件である。検討条件は、例えば、当該ＢＩＭモデルが表す建築物における運搬物の外形形状、大きさ等を表すサイズ情報、重量、建築物への搬出入の際の作業人員の数、接近許容距離、等に関する情報の少なくとも１つを含んでもよい。ここで、接近許容距離とは、ＢＩＭモデルが表す建築物における運搬物の運搬の際に許容される建築物や昇降機の構造物と運搬物との間隔に応じて予め設定される値であり、利用者により指定される値である。なお、この検討条件は、端末装置１００から送信される作成条件と別個に送信さされるものであってもよい。
【００２３】
また、昇降機モデリング部２０２ｂは、条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、端末装置１００から送信される、基本情報、昇降機仕様情報、建物情報等を含む作成条件に対応するＢＩＭパーツを、パーツ情報データベース２０６ａに記憶されたパーツ情報を用いて作成してもよい。
【００２４】
昇降機モデリング部２０２ｂは、例えば、図３に示すようなエレベータの３次元のＢＩＭパーツを作成する。ここで、図３は、昇降機のＢＩＭパーツの一例を示す図である。図３の左側は、昇降路、乗りかご、ガイドレール等のユニットから構成されるＢＩＭパーツであり、図３の右側は、乗り場ホーム関連品の一例として、乗降口のドアのユニット等から構成されるＢＩＭパーツである。昇降機モデリング部２０２ｂは、利用者が後述のレイアウト画面で確認しながら選択可能なように、作成条件を満たす複数の昇降機のＢＩＭパーツを作成してもよい。昇降機モデリング部２０２ｂは、例えば、条件受信部２０２ａにより受信された作成条件に基づいた建物情報等に基づいて、建築物の概要、規模、設置位置、電源設備容量等から当該建築物に設置可能な昇降機のＢＩＭパーツを単数あるいは複数作成してもよい。また、昇降機モデリング部２０２ｂは、条件受信部２０２ａにより受信された作成条件に基づいた基本情報、昇降機仕様情報等に応じてＢＩＭパーツを自動的に最適化して作成するようにしてもよい。昇降機モデリング部２０２ｂは、作成した昇降機のＢＩＭパーツを記憶部２０６に格納して、ＢＩＭパーツデータベース（図示せず）を構築してもよい。また、昇降機モデリング部２０２ｂが作成した昇降機のＢＩＭパーツは、このＢＩＭパーツ自体に対象の昇降機に関連するパーツ情報等の属性情報を含んでいる。
【００２５】
解析部２０２ｃは、入力される検討条件と、対象のＢＩＭモデルに含まれる建築物に関する建物情報（以下、単に「対象の建物情報」という場合がある。）と、昇降機モデリング部２０２ｂが作成したＢＩＭパーツ（以下、単に「作成したＢＩＭパーツ」という場合がある。）とに基づいて、ＢＩＭパーツが表す昇降機を用いた運搬物の搬出入に関するシミュレーションを実行する解析手段である。ここで、検討条件は、上述したようにＢＩＭモデルが表す建築物における運搬物に関する条件である（以下、単に「運搬物に関する検討条件」という場合がある。）。また、シミュレーションに用いる検討条件、建物情報は、端末装置１００から送信され条件受信部２０２ａにより受信された作成条件に含まれているものを用いてもよいし、作成条件とは別個に送信され条件受信部２０２ａにより受信されたものを用いてもよい。また、建物情報は、当該建物情報を属性情報として含む対象の建築物のＢＩＭモデルそのものを用いてもよいし、後述するＢＩＭモデルデータベース１０６ａに格納されている対象の建築物のＢＩＭモデルから制御部２０２がネットワーク３００等を介して取得したものを用いてもよい。またここでは、搬出入シミュレーションは、昇降機がエレベータである場合を説明するが、昇降機が乗客コンベアである場合にも適用可能である。
【００２６】
解析部２０２ｃは、例えば、運搬物に関する検討条件と、対象の建物情報と、作成したＢＩＭパーツに含まれるパーツ情報とに基づいて、運搬物の搬入経路、又は、運搬物の搬出経路を生成するようにしてもよい。ここで、運搬物の搬入経路は、ＢＩＭモデルが表す建築物内の設置位置に運搬物を搬入するための搬入経路（以下、単に「運搬物の搬入経路」という場合がある。）であり、典型的にはＢＩＭパーツが表す昇降機を用いた経路である。運搬物の搬出経路は、ＢＩＭモデルが表す建築物内の設置位置から運搬物を搬出するための搬出経路（以下、単に「運搬物の搬出経路」という場合がある。）であり、同様に典型的にはＢＩＭパーツが表す昇降機を用いた経路である。解析部２０２ｃは、例えば、対象の建物情報に含まれる搬入経路、搬出経路となりうる経路の寸法情報等を取得すると共に、作成したＢＩＭパーツのパーツ情報に含まれる昇降機の許容積載量に関する情報や乗りかご内法寸法、乗りかご扉開口寸法等のサイズ情報を取得する。そして、解析部２０２ｃは、これらの情報を用いて、検討条件に含まれるサイズ情報、重量で規定される運搬物を搬出入可能な経路を検索する。解析部２０２ｃは、例えば、建物情報が規定する建築物の空間において、ＢＩＭパーツのパーツ情報が規定する昇降機を用いて、検討条件が規定する運搬物と建築物や昇降機の構造物とが干渉しない状態で、当該運搬物を搬出入可能な最短距離の経路を搬出経路、搬入経路として生成するようにしてもよい。
【００２７】
また、解析部２０２ｃは、例えば、運搬物に関する検討条件と、対象の建物情報と、作成したＢＩＭパーツに含まれるパーツ情報とに基づいて、運搬物の搬出入の際の当該運搬物を運搬する作業人員の配置計画（以下、単に「搬出入の人員計画」という場合がある。）を生成するようにしてもよい。解析部２０２ｃは、例えば、対象の建物情報に基づいて上記のようにして生成した搬入経路、搬出経路の寸法情報等を取得すると共に、作成したＢＩＭパーツのパーツ情報に含まれる乗りかご内法寸法、乗りかご扉開口寸法等のサイズ情報を取得する。そして、解析部２０２ｃは、これらの情報を用いて、検討条件に含まれるサイズ情報等で規定される運搬物を、検討条件で規定された人数の作業人員で運搬する際の人員の配置をシミュレーションする。解析部２０２ｃは、例えば、建物情報が規定する建築物の空間において、ＢＩＭパーツのパーツ情報が規定する昇降機を用いて、検討条件が規定する運搬物と、建築物や昇降機の構造物とが干渉しない状態で、検討条件が規定する数の作業人員で安全作業スペースを確保しつつ効率的に運搬作業が行えるように搬出入の人員計画（配置計画を含む）を生成する。
【００２８】
また、解析部２０２ｃは、例えば、運搬物に関する検討条件と、対象の建物情報と、作成したＢＩＭパーツに含まれるパーツ情報とに基づいて、運搬物の搬出入の際の注意箇所（以下、単に「搬出入の注意箇所」という場合がある。）を検出するようにしてもよい。解析部２０２ｃは、例えば、対象の建物情報に基づいて上記のようにして生成した搬入経路、搬出経路の寸法情報等を取得すると共に、作成したＢＩＭパーツのパーツ情報に含まれる乗りかご内法寸法、乗りかご扉開口寸法等のサイズ情報を取得する。そして、解析部２０２ｃは、これらの情報を用いて、検討条件に含まれるサイズ情報等で規定される運搬物を運搬する際に、建築物や昇降機の構造物と運搬物との間隔が、検討条件に含まれる接近許容距離以下となるような箇所を、搬出入の注意箇所として検出する。解析部２０２ｃは、例えば、運搬物を運搬する際に、建築物や昇降機の構造物と運搬物とが過度に接近する箇所や急な曲がり角等を検証し、搬出入の注意箇所として検出する。
【００２９】
つまり、本実施形態の解析部２０２ｃは、搬出入シミュレーションの結果として、上述したように、運搬物の搬入経路、運搬物の搬出経路、搬出入の人員計画、搬出入の注意箇所のうちの少なくとも１つを含んでもよい。
【００３０】
情報提供部２０２ｄは、昇降機モデリング部２０２ｂにより作成されたＢＩＭパーツと、解析部２０２ｃにより実行された搬出入シミュレーションの結果とを端末装置１００へ送信する情報提供手段である。ここでは、情報提供部２０２ｄは、昇降機モデリング部２０２ｂにより作成されたＢＩＭパーツの情報、解析部２０２ｃにより実行された搬出入シミュレーションの結果の情報を含むＢＩＭ情報を生成し、生成されたＢＩＭ情報を端末装置１００へ送信する。搬出入シミュレーションの結果の情報としては、例えば、上述したように、運搬物の搬入経路、運搬物の搬出経路、搬出入の人員計画、搬出入の注意箇所等に関する情報のうちの少なくとも１つを含んでもよい。また、情報提供部２０２ｄは、必要に応じて、パーツ情報データベース２０６ａに記憶されたパーツ情報を含むＢＩＭ情報を生成し、生成されたＢＩＭ情報を端末装置１００へ送信する。
【００３１】
［端末装置１００の構成］
図２において、端末装置１００は、サーバ装置２００から送信された昇降機のＢＩＭパーツを、記憶部１０６に記憶された建築物のＢＩＭモデルに組み込んだ状態で、サーバ装置２００から送信された搬出入シミュレーションの結果を表示部１１４に表示させる機能を有する。端末装置１００は、例えば、一般に市販されるデスクトップ型またはノート型のパーソナルコンピュータ等の情報処理装置、携帯電話、スマートフォン、ＰＨＳ、及びＰＤＡ等の携帯端末装置等である。ここで、端末装置１００は、インターネットブラウザ等を搭載していてもよく、ＢＩＭアプリケーション等を搭載していてもよい。また、端末装置１００は、表示部１１４と音声出力部１１６とを少なくとも含む出力部を備えていてもよい。また、端末装置１００は、データ入力等を行う入力部１１８を備えていてもよい。
【００３２】
ここで、表示部１１４は、アプリケーション等の表示画面を表示する表示手段（例えば、液晶または有機ＥＬ等から構成されるディスプレイ、モニタ、及び、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、及び、ゲームパッド等）、マウス、キーボード、及び、マイク等であってもよい。また、入出力制御インターフェース部１０８は、表示部１１４、音声出力部１１６、及び、入力部１１８等の制御を行う。
【００３３】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００及びサーバ装置２００と、外部機器または外部システムとを相互に接続する機能を有し、例えば、インターネット、電話回線網（携帯端末回線網及び一般電話回線網等）、イントラネット、または、電力線通信（ＰＬＣ）等であってもよい。
【００３４】
また、記憶部１０６は、ＨＤＤやＳＳＤ等の大容量のストレージ手段、及び／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段である。記憶部１０６は、各種のデータベースやファイルやテーブル（ＢＩＭモデルデータベース１０６ａ等）を格納してもよい。ここで、記憶部１０６は、各種のファイル等を一時的に記憶するものであってもよい。
【００３５】
これら記憶部１０６の各構成要素のうち、ＢＩＭモデルデータベース１０６ａは、上述したような建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ＢＩＭモデルデータベース１０６ａに記憶されたＢＩＭモデルは、例えば、上述した対象の建築物の建物情報等の属性情報を含んでもよいが、これに限定されない。本実施形態において、上述の昇降機モデリング部２０２ｂによりＢＩＭパーツを作成する際、解析部２０２ｃにより搬出入シミュレーションを実行する際等に、上述の建物情報やＢＩＭモデルそのものが参照されてもよい。また、ＢＩＭモデルデータベース１０６ａは、随時、ＢＩＭモデルが最新データに更新される。
【００３６】
なお、このＢＩＭモデルデータベース１０６ａは、端末装置１００の記憶部１０６に設けられるものとして説明するがこれに限らない。ＢＩＭモデルデータベース１０６ａは、サーバ装置２００の記憶部２０６に設けられていてもよいし、ネットワーク３００等を介して端末装置１００、サーバ装置２００と通信可能に接続された記憶装置（不図示）に設けられていてもよい。
【００３７】
図２において、制御部１０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部１０２は、これらのプログラム等により、種々の処理を実行するための情報処理を行う。制御部１０２は、機能概念的に、条件送信部１０２ａ、情報取得部１０２ｂ、画面生成部１０２ｃ、及び、画面表示部１０２ｄを備える。
【００３８】
このうち、条件送信部１０２ａは、入力された作成条件、検討条件等の種々の条件をサーバ装置２００へ送信する条件送信手段である。作成条件は、上述したように利用者が所望する建築物のＢＩＭモデルに組込可能な昇降機のＢＩＭパーツを作成するための条件を指定するものである。作成条件は、利用者により端末装置１００において入力部１１８を介して入力されたものを含んでいてもよいし、予め作成条件が記憶された外部記憶装置（図示せず）から読み込まれて入力されたものを含んでいてもよい。さらに、作成条件は、端末装置１００（条件送信部１０２ａや不図示の自動抽出部等）がＢＩＭモデルデータベース１０６ａに格納されている建築物のＢＩＭモデル等から自動で抽出し入力されたものを含んでいてもよい。なお、制御部１０２は、上述したように、検討条件や建物情報、ＢＩＭモデルそのものに関する情報等を、この条件送信部１０２ａによって作成条件に含ませて送信してもよいし、この条件送信部１０２ａによって作成条件とは別個に送信してもよい。
【００３９】
情報取得部１０２ｂは、情報提供部２０２ｄによりサーバ装置２００から送信されるＢＩＭ情報を含む種々の情報を受信することで取得する情報取得手段である。本実施形態において、情報取得部１０２ｂは、例えば、昇降機モデリング部２０２ｂにより作成されたＢＩＭパーツの情報、解析部２０２ｃにより実行された搬出入シミュレーションの結果（運搬物の搬入経路、運搬物の搬出経路、搬出入の人員計画、搬出入の注意箇所）の情報等を含むＢＩＭ情報を取得する。また、情報取得部１０２ｂは、例えば、必要に応じて、パーツ情報データベース２０６ａに記憶されたパーツ情報等を含むＢＩＭ情報を取得する。
【００４０】
画面生成部１０２ｃは、情報提供部２０２ｄによりサーバ装置２００から送信され情報取得部１０２ｂにより受信、取得されたＢＩＭ情報に基づいて、表示部１１４に表示させるためのレイアウト画面を生成する画面生成手段である。本実施形態の画面生成部１０２ｃは、ＢＩＭ情報に含まれるＢＩＭパーツと、ＢＩＭ情報に含まれる搬出入シミュレーションの結果とを含むレイアウト画面を生成する。
【００４１】
画面生成部１０２ｃは、例えば、昇降機モデリング部２０２ｂにより作成されサーバ装置２００から送信された昇降機のＢＩＭパーツを、ＢＩＭモデルデータベース１０６ａに記憶された建築物のＢＩＭモデルに組み込んだ統合ＢＩＭモデルを作成する統合モデリング手段としても機能する。例えば、画面生成部１０２ｃは、図４に示すようなエレベータのＢＩＭパーツを建築物のＢＩＭモデルに組み込んだ３次元の統合ＢＩＭモデルを作成する。ここで、図４は、ＢＩＭモデルにＢＩＭパーツを組み込んだ統合ＢＩＭモデルの一例を示す図である。図４では、建築物の完成時におけるエレベータの設置状態を示す統合ＢＩＭモデルの一部が示されている。画面生成部１０２ｃは、作成した統合ＢＩＭモデルを記憶部１０６に格納して、統合ＢＩＭモデルデータベース（図示せず）を構築してもよい。そして、画面生成部１０２ｃは、作成した統合ＢＩＭモデルを含むレイアウト画面を生成する。
【００４２】
そしてさらに、本実施形態の画面生成部１０２ｃは、作成した統合ＢＩＭモデルと共に、例えば、図５乃至図１２に示すような解析部２０２ｃにより実行されサーバ装置２００から送信された搬出入シミュレーションの結果を含むレイアウト画面を生成する。図５乃至図１２は、搬出入シミュレーション結果の一例を示す図である。つまり、画面生成部１０２ｃは、情報提供部２０２ｄによりサーバ装置２００から送信されたＢＩＭパーツが表す昇降機を、ＢＩＭモデルが表す建築物に組み込んだ状態で、情報提供部２０２ｄによりサーバ装置２００から送信された搬出入シミュレーションの結果を含むレイアウト画面を生成する。この場合、画面生成部１０２ｃは、搬出入シミュレーションの結果として、解析部２０２ｃにより生成された運搬物の搬入経路、搬出経路、搬出入の人員計画、解析部２０２ｃにより検出された搬出入の注意箇所等を含むレイアウト画面を生成するようにしてもよい。
【００４３】
画面表示部１０２ｄは、情報提供部２０２ｄによりサーバ装置２００から送信され情報取得部１０２ｂにより受信、取得されたＢＩＭ情報に基づいて、表示部１１４にレイアウト画面を表示させる画面表示手段である。本実施形態の画面表示部１０２ｄは、ＢＩＭ情報に含まれるＢＩＭパーツと、ＢＩＭ情報に含まれる搬出入シミュレーションの結果とを含むレイアウト画面を表示部１１４に表示させる。
【００４４】
ここでは、画面表示部１０２ｄは、画面生成部１０２ｃにより生成されたレイアウト画面を表示部１１４に表示させる。画面表示部１０２ｄは、例えば、図４に示すような３次元の統合ＢＩＭモデルを含むレイアウト画面を表示部１１４に表示させる。
【００４５】
そしてさらに、本実施形態の画面表示部１０２ｄは、上記３次元の統合ＢＩＭモデルと共に、例えば、図５乃至図１２に示すような解析部２０２ｃにより実行されサーバ装置２００から送信された搬出入シミュレーションの結果を含むレイアウト画面を表示部１１４に表示させる。つまり、画面表示部１０２ｄは、情報提供部２０２ｄによりサーバ装置２００から送信されたＢＩＭパーツが表す昇降機を、ＢＩＭモデルが表す建築物に組み込んだ状態で、情報提供部２０２ｄによりサーバ装置２００から送信された搬出入シミュレーションの結果を表示部１１４に表示させ、３次元で可視化する。この場合、画面表示部１０２ｄは、搬出入シミュレーションの結果として、解析部２０２ｃにより生成された運搬物の搬入経路、搬出経路、搬出入の人員計画、解析部２０２ｃにより検出された搬出入の注意箇所を表示部１１４に表示させるようにしてもよい。
【００４６】
より詳細には、画面表示部１０２ｄは、例えば、図５乃至図９に表示するように、表示部１１４において、ＢＩＭパーツが表す昇降機をＢＩＭモデルが表す建築物に組み込んだ状態で、統合ＢＩＭモデル上に、客先要望の運搬物のサイズを考慮した搬入経路、搬出経路を矢印等によって表現したレイアウト画面を表示させることで、運搬物の搬入経路、搬出経路を表示させる。このとき、画面表示部１０２ｄは、運搬物に関する検討条件、対象の建物情報、作成したＢＩＭパーツのパーツ情報等に基づいて、ＢＩＭモデルが表す対象の建築物の各部の寸法（例えば、出入口間口寸法）、運搬物の寸法、ＢＩＭパーツが表す昇降機の寸法（例えば、乗りかご内法寸法（間口、幅、奥行き、高さ）等を表示部１１４に表示させてもよい。なお、図７、図８、図９は、運搬作業の時系列順となっており、図７は、運搬物を昇降機内へ搬入する際のイメージ、図８は、運搬物が昇降機内に納まった状態のイメージ、図９は、運搬物を昇降機内から搬出する際のイメージを表している。また、画面表示部１０２ｄは、例えば、図５乃至図９に表示するように、表示部１１４において、ＢＩＭパーツが表す昇降機をＢＩＭモデルが表す建築物に組み込んだ状態で、統合ＢＩＭモデル上に、人の形を模したヒトオブジェクトＡや安全作業スペースを配置したレイアウト画面を表示させることで、搬出入の人員計画を表示させるようにしてもよい。さらに、画面表示部１０２ｄは、例えば、図５乃至図９に表示するように、表示部１１４において、ＢＩＭパーツが表す昇降機をＢＩＭモデルが表す建築物に組み込んだ状態で、統合ＢＩＭモデル上に、搬出入の注意箇所Ｂ（図５参照）を含むレイアウト画面を表示させるようにしてもよい。この場合、画面表示部１０２ｄは、例えば、搬出入の注意箇所Ｂを囲み線で囲んだ上で当該囲み線を点滅表示させるようにしてもよいし、搬出入の注意箇所Ｂを赤色で表示させるようにしてもよい。
【００４７】
なお、このＢＩＭシステム１０は、表示部１１４に表示された図５乃至図９に例示するようなレイアウト画面を踏まえて、入力部１１８等を介して利用者や設計者による設計変更がなされる場合がある。この場合、条件送信部１０２ａは、当該設計変更を反映させた新たな作成条件をサーバ装置２００へ送信する。そして、昇降機モデリング部２０２ｂは、設計変更を反映させた新たな作成条件に対応する昇降機のＢＩＭパーツを、パーツ情報データベース２０６ａに記憶されたパーツ情報を用いて作成する。そして、解析部２０２ｃは、この新たな昇降機のＢＩＭパーツに基づいて搬出入シミュレーションを実行する。情報提供部２０２ｄは、新たな作成条件に対応して作成されたＢＩＭパーツと、当該新たなＢＩＭパーツに基づいた搬出入シミュレーションの結果とを含むＢＩＭ情報を生成し、生成されたＢＩＭ情報を端末装置１００へ送信する。そして、画面生成部１０２ｃは、情報提供部２０２ｄによりサーバ装置２００から送信され新たなＢＩＭ情報に基づいて、表示部１１４に表示させるためのレイアウト画面を生成する。
【００４８】
このとき、画面生成部１０２ｃは、図１０に示すように、設計変更前の統合ＢＩＭモデル及び搬出入シミュレーションの結果（図１０中向って左側）と、設計変更後の統合ＢＩＭモデル及び搬出入シミュレーションの結果（図１０中向って右側）とを並べたレイアウト画面を生成してもよい。この場合、画面表示部１０２ｄは、設計変更前の統合ＢＩＭモデル及び搬出入シミュレーションの結果と、設計変更後の統合ＢＩＭモデル及び搬出入シミュレーションの結果とを並べたレイアウト画面を表示部１１４に表示させる。そして、画面表示部１０２ｄは、設計変更前後での変更箇所を囲み線等で強調表示することで、当該変更箇所を明示的に表現するようにしてもよい。なお、この図１０では、画面表示部１０２ｄは、表示部１１４において、ＢＩＭパーツをＢＩＭモデルに組み込んだ統合ＢＩＭモデルの下側に平面図も合わせて表示している。
【００４９】
また、ＢＩＭシステム１０は、竣工後の建築物において、例えば、大きな物体や長尺物等、特殊形状の運搬物の搬出入が要求される場合には、予め当該特殊形状の運搬物を踏まえた最適なサイズの昇降機となるようにＢＩＭパーツを作成するようにしてもよい。つまり、昇降機モデリング部２０２ｂは、検討条件に含まれる特殊形状の運搬物のサイズ情報（外形形状、大きさ等）に基づいて、当該運搬物を運搬可能であるＢＩＭパーツを、パーツ情報データベース２０６ａに記憶されたパーツ情報を用いて作成する。昇降機モデリング部２０２ｂは、例えば、特殊形状の運搬物を運搬可能なサイズの昇降機やトランク等、拡張機能を備えた昇降機のＢＩＭパーツを作成する。そして、解析部２０２ｃは、運搬物のサイズ情報を踏まえて作成された昇降機のＢＩＭパーツに基づいて搬出入シミュレーションを実行する。情報提供部２０２ｄは、運搬物のサイズ情報を踏まえて作成されたＢＩＭパーツと、当該ＢＩＭパーツに基づいた搬出入シミュレーションの結果とを含むＢＩＭ情報を生成し、生成されたＢＩＭ情報を端末装置１００へ送信する。そして、画面生成部１０２ｃは、情報提供部２０２ｄによりサーバ装置２００から送信されＢＩＭ情報に基づいて、表示部１１４に表示させるためのレイアウト画面を生成する。
【００５０】
図１１は、運搬物のサイズ情報を踏まえて作成された昇降機のＢＩＭパーツを含むレイアウト画面である。ここでは、図１１に示すＢＩＭパーツが表す昇降機は、特殊形状の運搬物として長尺物を運搬可能なように、乗りかご上部にトランクが設けられている。このとき、画面表示部１０２ｄは、作成したＢＩＭパーツのパーツ情報等に基づいて、ＢＩＭパーツが表す昇降機の寸法（例えば、乗りかご内法寸法（間口、幅、奥行き、高さ）等を表示部１１４に表示させてもよい。また、画面表示部１０２ｄは、図１２に例示するように、搬出入シミュレーションの結果として、作成されたＢＩＭパーツが表す昇降機における長尺物の運搬時の取り回し方法等を含むレイアウト画面を表示部１１４に表示させるようにしてもよい。
【００５１】
以上で、第１の実施形態におけるＢＩＭシステム１０の構成の一例の説明を終える。
【００５２】
［ＢＩＭシステム１０の処理］
次に、このように構成された第１の実施形態におけるＢＩＭシステム１０の処理の一例について、以下に図１３を参照して詳細に説明する。図１３は、第１の実施形態におけるＢＩＭシステム１０の基本処理の一例を示すフローチャートである。
【００５３】
図１３に示すように、端末装置１００の条件送信部１０２ａは、サーバ装置２００にアクセス可能かを判定した後、可能であれば作成条件（検討条件等を含む）をサーバ装置２００へ送信する（ステップＳＡ−１）。
【００５４】
そして、サーバ装置２００の条件受信部２０２ａは、ステップＳＡ−１にて条件送信部１０２ａの処理により送信される作成条件を受信する（ステップＳＡ−２）。
【００５５】
そして、サーバ装置２００の昇降機モデリング部２０２ｂは、ステップＳＡ−２にて条件受信部２０２ａの処理により受信された作成条件に対応する昇降機のＢＩＭパーツを、パーツ情報データベース２０６ａに記憶されたパーツ情報を用いて作成する（ステップＳＡ−３）。このとき、昇降機モデリング部２０２ｂは、作成条件に含まれる検討条件の運搬物のサイズ情報に基づいて、当該運搬物を運搬可能であるＢＩＭパーツを作成してもよい。
【００５６】
そして、サーバ装置２００の解析部２０２ｃは、ステップＳＡ−２にて条件受信部２０２ａの処理により受信された作成条件に含まれる検討条件と、ＢＩＭモデルに含まれる建物情報と、ステップＳＡ−３にて昇降機モデリング部２０２ｂの処理により作成された昇降機のＢＩＭパーツとに基づいて、ＢＩＭパーツが表す昇降機を用いた運搬物の搬出入に関するシミュレーションを実行する（ステップＳＡ−４）。
【００５７】
そして、サーバ装置２００の情報提供部２０２ｄは、ステップＳＡ−３にて昇降機モデリング部２０２ｂの処理により作成された昇降機のＢＩＭパーツの情報、ステップＳＡ−４にて解析部２０２ｃの処理により作成された搬出入シミュレーションの結果の情報を含むＢＩＭ情報を生成する（ステップＳＡ−５）。この場合、情報提供部２０２ｄは、必要に応じて、パーツ情報データベース２０６ａに記憶されているパーツ情報を含むＢＩＭ情報を生成してもよい。
【００５８】
そして、サーバ装置２００の情報提供部２０２ｄは、ステップＳＡ−５での処理により生成したＢＩＭ情報を端末装置１００へ送信する（ステップＳＡ−６）。
【００５９】
そして、端末装置１００の情報取得部１０２ｂは、ステップＳＡ−６にて情報提供部２０２ｄの処理により送信されたＢＩＭ情報を受信する（ステップＳＡ−７）。
【００６０】
そして、端末装置１００の画面生成部１０２ｃは、ステップＳＡ−７にて情報取得部１０２ｂの処理により受信されたＢＩＭ情報に基づいてレイアウト画面を生成する（ステップＳＡ−８）。
【００６１】
そして、端末装置１００の画面表示部１０２ｄは、ステップＳＡ−８にて画面生成部１０２ｃの処理により生成されたレイアウト画面を表示部１１４に表示させる（ステップＳＡ−９）。例えば、画面表示部１０２ｄは、上述した図５乃至図１２に例示するようなレイアウト画面を表示部１１４に表示させる。
【００６２】
そして、端末装置１００の条件送信部１０２ａは、ステップＳＡ−９にて画面表示部１０２ｄの処理により表示部１１４に表示された図５乃至図１２に例示するようなレイアウト画面を踏まえて、入力部１１８等を介して利用者や設計者による設計変更がなされたか否かを判定する（ステップＳＡ−１０）。
【００６３】
端末装置１００の条件送信部１０２ａは、ステップＳＡ−１０にて条件送信部１０２ａの処理により設計変更がなされたと判定された場合（ステップＳＡ−１０：Ｙｅｓ）、処理をステップＳＡ−１に移行させ、設計変更を反映させた新たな作成条件をサーバ装置２００へ送信する。
【００６４】
端末装置１００の制御部１０２は、ステップＳＡ−１０にて条件送信部１０２ａの処理により設計変更がなされていないと判定された場合（ステップＳＡ−１０：Ｎｏ）、この処理を終了する。
【００６５】
なお、以上の説明では、本実施形態のＢＩＭシステム１０は、図１３で説明した基本処理に、搬出入シミュレーション処理（ステップＳＡ−４）を組み込んだ場合で説明したが、搬出入シミュレーション処理を基本処理とは独立させ、単独で実行してもよい。すなわち、解析部２０２ｃは、昇降機モデリング部２０２ｂによって既に作成済みのＢＩＭパーツを用いて搬出入シミュレーションを実行してもよい。
【００６６】
以上で、第１の実施形態におけるＢＩＭシステム１０の処理の一例の説明を終える。
【００６７】
上記のように構成されるＢＩＭシステム１０は、例えば、各業種にて建物全体データである建築物の３次元モデル（すなわち、建築物のＢＩＭモデル）を共有することができるので、共通の最新データ上で同期しながら関連性及び整合性の確認を行うことができる。そして、ＢＩＭシステム１０は、ＢＩＭモデルが表す建築物内でＢＩＭパーツが表す昇降機を用いた運搬物の搬出入に関するシミュレーションを自動で実行することができる。そして、ＢＩＭシステム１０は、図５乃至図１２に示すように、端末装置１００の表示部１１４に、建築物のＢＩＭモデルに昇降機のＢＩＭパーツを組み込んだ統合ＢＩＭモデルと共に、運搬物の搬入経路、運搬物の搬出経路、搬出入の人員計画、搬出入の注意箇所等の搬出入シミュレーションの結果を表示することができる。これにより、ＢＩＭシステム１０は、ＢＩＭモデルに昇降機のＢＩＭパーツを組み込んだ統合ＢＩＭモデル上で、ＢＩＭパーツが表す昇降機を用いた運搬物の搬出入に関するシミュレーションの結果を昇降機の走行等と連動させて３次元のイメージモデルで可視化し、検討することができる。この結果、ＢＩＭシステム１０は、例えば、客先要望の運搬物を対象の建築物内で昇降機を用いて搬出入する際の経路や人員配置、注意箇所等を竣工前に事前に確認し、竣工後の対象建築物における運搬物の運搬方法や取り回し等を検討して問題を解決することができるので高い設計品質を確保することができ、作業効率を向上することができる。また、ＢＩＭシステム１０は、例えば、大きな物体や長尺物等、特殊形状の運搬物の搬出入が予め想定されるような場合には、当該特殊形状の運搬物の搬出入等も事前に検討することができ、当該特殊形状の運搬物を踏まえた最適なサイズとなる昇降機のＢＩＭパーツを自動で作成し、３次元のイメージモデルで可視化し、検討することもできる。これにより、ＢＩＭシステム１０は、要望される運搬物を、昇降機を用いて運搬することができない、というような事態が発生することを防止することができ、この点でも、高い設計品質を確保することができ、作業効率を向上することができる。
【００６８】
これにより、利用者は、施工前の計画段階で、昇降機を用いた運搬物の搬出入等の対策を視覚的に容易に検討、確認、比較することができ、昇降機の仕様や工事内容等を効率よく検討しすすめることができる。さらに言えば、利用者は、昇降機を含む建築物の基本設計と実施設計とを連携したプロセスとすることができる。この場合、利用者は、昇降機を用いた運搬物の搬出入を設計初期の段階からシミュレーションし視覚的に判断して最適化を図ることができ、例えば、デザイン性の向上、コスト低減、作業性向上、作業時間短縮等を図ることができる。また、利用者は、上述のように、例えば、統合ＢＩＭモデル上で、昇降機を用いた運搬物の搬出入等における問題箇所の全体を事前に視覚的に確認できる。そして、設計変更等が即座に利用者に対してフィードバックされ、よって、利用者は、タイムリーに作業を進めることができる。
【００６９】
また、利用者は、例えば、昇降機を用いた運搬物の搬出入等の対策の検討において、客先や関係業者との調整、修正の過程を効率的に経ることができ、また同一建築物内での他の設備工事等との整合性も容易に図ることができる。また、利用者は、例えば、昇降機のデザイン選定等においても、客先のイメージの相互確認を容易に行うことができ、設備提案を効率よく行うことができ、短期間で客先に最適な仕様等を提案する。また、利用者は、例えば、工事完了後の利用環境、昇降機の動き等を可視化してシミュレーションすることができ、客先に対して容易に種々の検証及び提案を行うことができる。
【００７０】
なお、以上で説明したＢＩＭシステム１０は、昇降機リニューアル後の昇降機構成物品を運搬物として、搬出入シミュレーションを実行するようにしてもよい。
【００７１】
［第２の実施形態］
図１４は、第２の実施形態におけるＢＩＭシステムの構成の一例を示すブロック図、図１５は、第２の実施形態における基本処理の一例を示すフローチャートである。第２の実施形態に係るＢＩＭシステム（機能分散型のＢＩＭシステム）は、解析手段が端末装置側に設けられている点で第１の実施形態とは異なる。その他、上述した実施形態と共通する構成、作用、効果については、重複した説明はできるだけ省略する。
【００７２】
［ＢＩＭシステム２０の構成］
まず、第２の実施形態におけるＢＩＭシステムの構成の一例について、図１４を参照して以下に説明する。図１４は、第２の実施形態におけるＢＩＭシステムの構成の一例を示すブロック図であり、該構成のうち主要な部分を概念的に示している。なお、第２の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。また、本実施形態においては、通信型のＢＩＭシステムを具体例として説明するが、これに限ることなく、スタンドアロン型のＢＩＭシステムなどにも適用可能である。
【００７３】
図１４に示すように、第２の実施形態のＢＩＭシステム２０は、概略的に、昇降機の３次元モデル（すなわち、昇降機のＢＩＭパーツ）等の情報を提供できるサーバ装置２００、及び、単数または複数のＢＩＭアプリケーション等を搭載した端末装置１００、を通信可能に接続して構成される。図１４に示すように、第２の実施形態のＢＩＭシステム２０において、サーバ装置２００は、概略的に、制御部２０２と記憶部２０６とを少なくとも備えている。端末装置１００は、出力部（表示部１１４及び音声出力部１１６）と入力部１１８と制御部１０２と記憶部１０６とを少なくとも備える。
【００７４】
［サーバ装置２００の構成］
ここで、図１４において、サーバ装置２００は、端末装置１００から送信される作成条件に対応する昇降機のＢＩＭパーツを、記憶部２０６に記憶されたパーツ情報を用いて作成する機能を有する。そして、サーバ装置２００は、作成されたＢＩＭパーツを端末装置１００へ送信する機能を有する。これにより、サーバ装置２００は、端末装置１００において、入力される運搬物に関する検討条件と、ＢＩＭモデルに含まれる建築物に関する建物情報と、サーバ装置２００から送信したＢＩＭパーツとに基づいて、搬出入シミュレーションを実行させる機能を有する。そして、サーバ装置２００は、端末装置１００において、ＢＩＭパーツをＢＩＭモデルに組み込んだ状態で、実行された搬出入シミュレーションの結果を表示部１１４に表示させる機能を有する。
【００７５】
サーバ装置２００は、通信制御インターフェース部２０４を介してネットワーク３００を経由し、端末装置１００と相互に通信可能に接続されており、制御部２０２と記憶部２０６とを備える。
【００７６】
図１４において、サーバ装置２００の記憶部２０６は、パーツ情報データベース２０６ａを備える。サーバ装置２００の記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。
【００７７】
図１４において、サーバ装置２００の制御部２０２は、機能概念的に、条件受信部２０２ａ、昇降機モデリング部２０２ｂ、及び、情報提供部２０２ｄを備える。ここでは、制御部２０２は、上述の解析部２０２ｃ（図２参照）を備えていない。
【００７８】
このうち、条件受信部２０２ａは、端末装置１００から送信される作成条件等の種々の条件を受信する条件受信手段である。
【００７９】
また、昇降機モデリング部２０２ｂは、条件受信部２０２ａにより受信された作成条件に対応する昇降機のＢＩＭパーツを、パーツ情報データベース２０６ａに記憶されたパーツ情報を用いて作成する昇降機モデリング手段である。また、昇降機モデリング部２０２ｂは、作成条件に含まれる運搬物のサイズ情報に基づいて、当該運搬物を運搬可能であるＢＩＭパーツを、パーツ情報データベース２０６ａに記憶されたパーツ情報を用いて作成するようにしてもよい。
【００８０】
情報提供部２０２ｄは、昇降機モデリング部２０２ｂにより作成されたＢＩＭパーツを端末装置１００へ送信する情報提供手段である。ここでは、情報提供部２０２ｄは、作成されたＢＩＭパーツの情報を含むＢＩＭ情報を生成し、生成されたＢＩＭ情報を端末装置１００へ送信する。また、情報提供部２０２ｄは、必要に応じて、パーツ情報データベース２０６ａに記憶されているパーツ情報も含むＢＩＭ情報を生成し、生成されたＢＩＭ情報を端末装置１００へ送信する。
【００８１】
［端末装置１００の構成］
また、図１４において、端末装置１００は、入力される運搬物に関する検討条件と、ＢＩＭモデルに含まれる建築物に関する建物情報と、サーバ装置２００から送信したＢＩＭパーツとに基づいて、搬出入シミュレーションを実行する機能を有する。そして、端末装置１００は、サーバ装置２００から送信されたＢＩＭパーツをＢＩＭモデルに組み込んだ状態で、実行された搬出入シミュレーションの結果を表示部１１４に表示させる機能を有する。
【００８２】
端末装置１００は、通信制御インターフェース部１０４を介してネットワーク３００を経由し、サーバ装置２００と相互に通信可能に接続されており、制御部１０２と記憶部１０６とを備える。また、端末装置１００は、表示部１１４と音声出力部１１６とを少なくとも含む出力部を備えていてもよい。また、端末装置１００は、データ入力等を行う入力部１１８を備えていてもよい。端末装置１００の入出力制御インターフェース部１０８は、表示部１１４、音声出力部１１６、及び、入力部１１８等の制御を行う。
【００８３】
図１４において、端末装置１００の記憶部１０６は、ＢＩＭモデルデータベース１０６ａを備える。端末装置１００の記憶部１０６の各構成要素のうち、ＢＩＭモデルデータベース１０６ａは、建築物のＢＩＭモデルを記憶するＢＩＭモデル記憶手段である。
【００８４】
図１４において、端末装置１００の制御部１０２は、機能概念的に、条件送信部１０２ａ、情報取得部１０２ｂ、画面生成部１０２ｃ、画面表示部１０２ｄ、及び、解析部１０２ｅを備える。
【００８５】
このうち、条件送信部１０２ａは、入力された作成条件等の種々の条件をサーバ装置２００へ送信する条件送信手段である。ここでは、搬出入シミュレーションを端末装置１００側で実行するので、作成条件は、搬出入シミュレーションに用いる検討条件等を含んでいなくてもよい。
【００８６】
情報取得部１０２ｂは、情報提供部２０２ｄによりサーバ装置２００から送信されるＢＩＭ情報を含む種々の情報を受信することで取得する情報取得手段である。本実施形態において、情報取得部１０２ｂは、例えば、昇降機モデリング部２０２ｂにより作成されたＢＩＭパーツの情報を含むＢＩＭ情報を取得する。また、情報取得部１０２ｂは、例えば、必要に応じて、パーツ情報データベース２０６ａに記憶されているパーツ情報等を含むＢＩＭ情報を取得する。
【００８７】
ここで、先に解析部１０２ｅについて説明する。
【００８８】
本実施形態の解析部１０２ｅは、情報提供部２０２ｄによりサーバ装置２００から送信され情報取得部１０２ｂにより受信、取得されたＢＩＭ情報に基づいて、搬出入シミュレーションを実行する。解析部１０２ｅは、利用者によって入力部１１８等を介して入力される検討条件と、ＢＩＭモデルデータベース１０６ａに記憶された建築物のＢＩＭモデルに含まれる建築物に関する建物情報と、情報提供部２０２ｄによりサーバ装置２００から送信されるＢＩＭパーツとに基づいて、ＢＩＭパーツが表す昇降機を用いた運搬物の搬出入に関するシミュレーションを実行する。
【００８９】
画面生成部１０２ｃは、情報提供部２０２ｄによりサーバ装置２００から送信されたＢＩＭパーツ（ＢＩＭ情報）と、解析部１０２ｅにより解析された搬出入シミュレーションの結果とに基づいて、表示部１１４に表示させるためのレイアウト画面を生成する画面生成手段である。本実施形態の画面生成部１０２ｃは、上記ＢＩＭパーツと、上記搬出入シミュレーションの結果とを含むレイアウト画面を生成する。
【００９０】
画面生成部１０２ｃは、例えば、昇降機モデリング部２０２ｂにより作成されサーバ装置２００から送信された昇降機のＢＩＭパーツが表す昇降機を、ＢＩＭモデルデータベース１０６ａに記憶された建築物のＢＩＭモデルが表す建築物に組み込んだ統合ＢＩＭモデルを作成する統合モデリング手段としても機能する。そして、画面生成部１０２ｃは、作成した統合ＢＩＭモデルを含むレイアウト画面を生成する。本実施形態の画面生成部１０２ｃは、作成した統合ＢＩＭモデルと共に、例えば、図５乃至図１２に示すような解析部１０２ｅにより実行された搬出入シミュレーションの結果を含むレイアウト画面を生成する。
【００９１】
画面表示部１０２ｄは、情報提供部２０２ｄによりサーバ装置２００から送信されたＢＩＭパーツ（ＢＩＭ情報）と、解析部１０２ｅにより実行された搬出入シミュレーションの結果とに基づいて、表示部１１４にレイアウト画面を表示させる画面表示手段である。本実施形態の画面表示部１０２ｄは、ＢＩＭ情報に含まれるＢＩＭパーツと、解析部１０２ｅにより実行された搬出入シミュレーションの結果とを含むレイアウト画面を表示部１１４に表示させる。
【００９２】
ここでは、画面表示部１０２ｄは、画面生成部１０２ｃにより生成されたレイアウト画面を表示部１１４に表示させる。本実施形態の画面表示部１０２ｄは、上記３次元の統合ＢＩＭモデルと共に、例えば、図５乃至図１２に示すような搬出入シミュレーションの結果を含むレイアウト画面を表示部１１４に表示させる。つまり、画面表示部１０２ｄは、情報提供部２０２ｄによりサーバ装置２００から送信されたＢＩＭパーツが表す昇降機を、ＢＩＭモデルが表す建築物に組み込んだ状態で、搬出入シミュレーションの結果を表示部１１４に表示させる。
【００９３】
以上で、第２の実施形態におけるＢＩＭシステム２０の構成の一例の説明を終える。
【００９４】
［ＢＩＭシステム２０の処理］
次に、このように構成された第２の実施形態におけるＢＩＭシステム２０の処理の一例について、以下に図１５を参照して詳細に説明する。図１５は、第２の実施形態におけるＢＩＭシステム２０の基本処理の一例を示すフローチャートである。
【００９５】
図１５に示すように、端末装置１００の条件送信部１０２ａは、サーバ装置２００にアクセス可能かを判定した後、可能であれば作成条件をサーバ装置２００へ送信する（ステップＳＢ−１）。
【００９６】
そして、サーバ装置２００の条件受信部２０２ａは、ステップＳＢ−１にて条件送信部１０２ａの処理により送信される作成条件を受信する（ステップＳＢ−２）。
【００９７】
そして、サーバ装置２００の昇降機モデリング部２０２ｂは、ステップＳＢ−２にて条件受信部２０２ａの処理により受信された作成条件に対応する昇降機のＢＩＭパーツを、パーツ情報データベース２０６ａに記憶されたパーツ情報を用いて作成する（ステップＳＢ−３）。このとき、昇降機モデリング部２０２ｂは、作成条件に含まれる運搬物のサイズ情報に基づいて当該運搬物を運搬可能であるＢＩＭパーツを作成してもよい。
【００９８】
そして、サーバ装置２００の情報提供部２０２ｄは、ステップＳＢ−３にて昇降機モデリング部２０２ｂの処理により作成された昇降機のＢＩＭパーツの情報を含むＢＩＭ情報を生成する（ステップＳＢ−４）。この場合、情報提供部２０２ｄは、必要に応じて、パーツ情報データベース２０６ａに記憶されているパーツ情報を含むＢＩＭ情報を生成してもよい。
【００９９】
そして、サーバ装置２００の情報提供部２０２ｄは、ステップＳＢ−４での処理により生成したＢＩＭ情報を端末装置１００へ送信する（ステップＳＢ−５）。
【０１００】
そして、端末装置１００の情報取得部１０２ｂは、ステップＳＢ−５にて情報提供部２０２ｄの処理により送信されたＢＩＭ情報を受信する（ステップＳＢ−６）。
【０１０１】
そして、端末装置１００の解析部１０２ｅは、入力される検討条件と、ＢＩＭモデルデータベース１０６ａに記憶された建築物のＢＩＭモデルに含まれる建築物に関する建物情報と、ステップＳＢ−６にて情報取得部１０２ｂの処理により受信されたＢＩＭ情報に含まれる昇降機のＢＩＭパーツとに基づいて、ＢＩＭパーツが表す昇降機を用いた運搬物の搬出入に関するシミュレーションを実行する（ステップＳＢ−７）。
【０１０２】
そして、端末装置１００の画面生成部１０２ｃは、ステップＳＢ−６にて情報取得部１０２ｂの処理により受信されたＢＩＭパーツ（ＢＩＭ情報）と、ステップＳＢ−７にて解析部１０２ｅの処理により実行された搬出入シミュレーションの結果とに基づいてレイアウト画面を生成する（ステップＳＢ−８）。
【０１０３】
そして、端末装置１００の画面表示部１０２ｄは、ステップＳＢ−８にて画面生成部１０２ｃの処理により生成されたレイアウト画面を表示部１１４に表示させる（ステップＳＢ−９）。例えば、画面表示部１０２ｄは、上述した図５乃至図１２に例示するようなレイアウト画面を表示部１１４に表示させる。
【０１０４】
そして、端末装置１００の条件送信部１０２ａは、ステップＳＢ−９にて画面表示部１０２ｄの処理により表示部１１４に表示された図５乃至図１２に例示するようなレイアウト画面を踏まえて、入力部１１８等を介して利用者や設計者による設計変更がなされたか否かを判定する（ステップＳＢ−１０）。
【０１０５】
端末装置１００の条件送信部１０２ａは、ステップＳＢ−１０にて条件送信部１０２ａの処理により設計変更がなされたと判定された場合（ステップＳＢ−１０：Ｙｅｓ）、処理をステップＳＢ−１に移行させ、設計変更を反映させた新たな作成条件をサーバ装置２００へ送信する。
【０１０６】
端末装置１００の制御部１０２は、ステップＳＢ−１０にて条件送信部１０２ａの処理により設計変更がなされていないと判定された場合（ステップＳＢ−１０：Ｎｏ）、この処理を終了する。
【０１０７】
以上で、第２の実施形態におけるＢＩＭシステム２０の処理の一例の説明を終える。
【０１０８】
［第３の実施形態］
図１６は、第３の実施形態におけるＢＩＭ装置の構成の一例を示すブロック図、図１７は、第３の実施形態における基本処理の一例を示すフローチャートである。第３の実施形態に係るＢＩＭシステムは、機能がＢＩＭ装置に集約されている点で第１、２の実施形態とは異なる。その他、上述した実施形態と共通する構成、作用、効果については、重複した説明はできるだけ省略する。また、図１６は、第３の実施形態におけるＢＩＭ装置４００の構成のうち主として本実施形態に関係する部分を概念的に示している。ここで、第３の実施形態におけるＢＩＭシステムは、スタンドアロン型に構成され単独で処理を行うＢＩＭ装置４００により実現される。
【０１０９】
なお、第３の実施形態のＢＩＭシステムにおいては、機能をＢＩＭ装置４００に集約し、ＢＩＭ装置４００は、入力される作成条件に対応するＢＩＭパーツを、記憶部４０６に記憶されたパーツ情報を用いて作成する機能を有する。そして、ＢＩＭ装置４００は、利用者によって入力部４１８等を介して入力される運搬物に関する検討条件と、ＢＩＭモデルに含まれる建築物に関する建物情報と、作成されたＢＩＭパーツとに基づいて、搬出入シミュレーションを実行する機能を有する。そして、ＢＩＭ装置４００は、作成されたＢＩＭパーツをＢＩＭモデルに組み込んだ状態で、実行された搬出入シミュレーションの結果を表示部４１４に表示させる等の機能を有する。このように、第３の実施形態は、ＢＩＭ装置４００がスタンドアロン型に構成され単独で処理を行う点がその他の実施形態と異なる。
【０１１０】
［ＢＩＭ装置４００の構成］
まず、第３の実施形態におけるＢＩＭ装置４００（スタンドアロン型）の構成の一例について、図１６を参照して以下に説明する。
【０１１１】
図１６に示すように、第３の実施形態のＢＩＭ装置４００は、出力部（表示部４１４及び音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【０１１２】
図１６において、入出力制御インターフェース部４０８、表示部４１４、音声出力部４１６、及び、入力部４１８の各機能は、第１の実施形態等と実質的に同様であるため説明を省略する。また、記憶部４０６の各部（パーツ情報記憶手段としてのパーツ情報データベース４０６ａ、ＢＩＭモデル記憶手段としてのＢＩＭモデルデータベース４０６ｂ、等）についても、端末装置１００やサーバ装置２００ではなくＢＩＭ装置４００に備えられている点を除き、各機能が第１の実施形態等と実質的に同様であるためできるだけ説明を省略する。
【０１１３】
このうち、パーツ情報データベース４０６ａは、建築物のＢＩＭモデルに組込可能な昇降機のＢＩＭパーツを作成するためのパーツ情報を記憶するパーツ情報記憶手段である。
【０１１４】
ＢＩＭモデルデータベース４０６ｂは、建築物のＢＩＭモデルを記憶するＢＩＭモデル記憶手段である。
【０１１５】
また、制御部４０２の各部については、本実施形態のＢＩＭ装置４００がスタンドアロン型であり、制御部４０２が各送信部を備えていない点を除き、各機能は第１の実施形態と基本的に同様である。
【０１１６】
図１６において、制御部４０２は、ＯＳ等の制御プログラムや、各種の処理手順等を規定したプログラム、及び、所要データを格納するための内部メモリを有する。そして、制御部４０２は、これらのプログラム等により、種々の処理を実行するための情報処理を行う。制御部４０２は、機能概念的に、条件設定手段としての条件設定部４０２ａ、昇降機モデリング手段としての昇降機モデリング部４０２ｂ、解析手段としての解析部４０２ｃを備える。さらに、制御部４０２は、機能概念的に、画面生成手段としての画面生成部４０２ｄ、画面表示手段としての画面表示部４０２ｅ、を備える。
【０１１７】
このうち、条件設定部４０２ａは、入力する作成条件、検討条件等の種々の条件を設定する条件設定手段である。ここでは、作成条件、検討条件は、利用者により入力部４１８を介して入力されたものを含んでいてもよいし、予め作成条件が記憶された外部記憶装置（図示せず）から読み込まれて入力されたものを含んでいてもよい。さらに、作成条件は、条件設定部４０２ａがＢＩＭモデルデータベース４０６ｂに格納されている建築物のＢＩＭモデル等から自動で抽出し入力されたものを含んでいてもよい。
【０１１８】
また、昇降機モデリング部４０２ｂは、条件設定部４０２ａにより設定された作成条件に対応する昇降機のＢＩＭパーツを、パーツ情報データベース４０６ａに記憶されたパーツ情報を用いて作成する昇降機モデリング手段である。また、昇降機モデリング部４０２ｂは、作成条件あるいは検討条件に含まれる運搬物のサイズ情報に基づいて、当該運搬物を運搬可能であるＢＩＭパーツを、パーツ情報データベース４０６ａに記憶されたパーツ情報を用いて作成するようにしてもよい。
【０１１９】
また、解析部４０２ｃは、利用者によって入力部４１８等を介して入力され条件設定部４０２ａにより設定された検討条件と、ＢＩＭモデルに含まれる建築物に関する建物情報と、昇降機モデリング部４０２ｂにより作成されたＢＩＭパーツとに基づいて、搬出入シミュレーションを実行する。
【０１２０】
画面生成部４０２ｄは、昇降機モデリング部４０２ｂにより作成されたＢＩＭパーツと、解析部４０２ｃにより実行された搬出入シミュレーションの結果とに基づいて、表示部４１４に表示させるためのレイアウト画面を生成する画面生成手段である。本実施形態の画面生成部４０２ｄは、上記ＢＩＭパーツと、上記搬出入シミュレーションの結果とを含むレイアウト画面を生成する。
【０１２１】
画面生成部４０２ｄは、例えば、昇降機モデリング部４０２ｂにより作成された昇降機のＢＩＭパーツが表す昇降機を、ＢＩＭモデルデータベース４０６ｂに記憶された建築物のＢＩＭモデルが表す建築物に組み込んだ統合ＢＩＭモデルを作成する統合モデリング手段としても機能する。そして、画面生成部４０２ｄは、作成した統合ＢＩＭモデルを含むレイアウト画面を生成する。本実施形態の画面生成部４０２ｄは、作成した統合ＢＩＭモデルと共に、例えば、図５乃至図１２に示すような解析部４０２ｃにより実行された搬出入シミュレーションの結果を含むレイアウト画面を生成する。
【０１２２】
画面表示部４０２ｅは、昇降機モデリング部４０２ｂにより作成されたＢＩＭパーツと、解析部４０２ｃにより実行された搬出入シミュレーションの結果とに基づいて、表示部４１４にレイアウト画面を表示させる画面表示手段である。本実施形態の画面表示部４０２ｅは、昇降機モデリング部４０２ｂにより作成されたＢＩＭパーツと、解析部４０２ｃにより実行された搬出入シミュレーションの結果とを含むレイアウト画面を表示部４１４に表示させる。
【０１２３】
ここでは、画面表示部４０２ｅは、画面生成部４０２ｄにより生成されたレイアウト画面を表示部４１４に表示させる。本実施形態の画面表示部４０２ｅは、上記３次元の統合ＢＩＭモデルと共に、例えば、図５乃至図１２に示すような解析部４０２ｃにより実行された搬出入シミュレーションの結果を含むレイアウト画面を表示部４１４に表示させる。つまり、画面表示部４０２ｅは、昇降機モデリング部４０２ｂにより作成されたＢＩＭパーツが表す昇降機を、ＢＩＭモデルが表す建築物に組み込んだ状態で、搬出入シミュレーションの結果を表示部４１４に表示させる。
【０１２４】
以上で、第３の実施形態におけるＢＩＭ装置４００の構成の一例の説明を終える。
【０１２５】
［ＢＩＭ装置４００の処理］
次に、このように構成された第３の実施形態におけるＢＩＭ装置４００の処理の一例について、以下に図１７を参照して詳細に説明する。図１７は、第３の実施形態におけるＢＩＭ装置４００の基本処理の一例を示すフローチャートである。
【０１２６】
図１７に示すように、まず、条件設定部４０２ａは、入力する作成条件（検討条件等を含む）を設定する（ステップＳＣ−１）。
【０１２７】
そして、昇降機モデリング部４０２ｂは、ステップＳＣ−１にて条件設定部４０２ａの処理により設定された作成条件に対応する昇降機のＢＩＭパーツを、パーツ情報データベース４０６ａに記憶されたパーツ情報を用いて作成する（ステップＳＣ−２）。このとき、昇降機モデリング部４０２ｂは、作成条件あるいは検討条件に含まれる運搬物のサイズ情報に基づいて当該運搬物を運搬可能であるＢＩＭパーツを作成してもよい。
【０１２８】
そして、解析部４０２ｃは、入力される検討条件と、ＢＩＭモデルデータベース４０６ｂに記憶された建築物のＢＩＭモデルに含まれる建築物に関する建物情報と、ステップＳＣ−２にて昇降機モデリング部４０２ｂの処理により作成された昇降機のＢＩＭパーツとに基づいて、ＢＩＭパーツが表す昇降機を用いた運搬物の搬出入に関するシミュレーションを実行する（ステップＳＣ−３）。
【０１２９】
そして、画面生成部４０２ｄは、ステップＳＣ−２にて昇降機モデリング部４０２ｂの処理により作成されたＢＩＭパーツと、ステップＳＣ−３にて解析部４０２ｃの処理により実行された搬出入シミュレーションの結果とに基づいてレイアウト画面を生成する（ステップＳＣ−４）。
【０１３０】
そして、画面表示部４０２ｅは、ステップＳＣ−４にて画面生成部４０２ｄの処理により生成されたレイアウト画面を表示部４１４に表示させる（ステップＳＣ−５）。例えば、画面表示部４０２ｅは、上述した図５乃至図１２に例示するようなレイアウト画面を表示部４１４に表示させる。
【０１３１】
そして、条件設定部４０２ａは、ステップＳＣ−５にて画面表示部４０２ｅの処理により表示部４１４に表示された図５乃至図１２に例示するようなレイアウト画面を踏まえて、入力部４１８等を介して利用者や設計者による設計変更がなされたか否かを判定する（ステップＳＣ−６）。
【０１３２】
条件設定部４０２ａは、ステップＳＣ−６にて条件設定部４０２ａの処理により設計変更がなされたと判定された場合（ステップＳＣ−６：Ｙｅｓ）、処理をステップＳＣ−１に移行させ、設計変更を反映させた新たな作成条件を設定する。
【０１３３】
制御部４０２は、ステップＳＣ−６にて条件設定部４０２ａの処理により設計変更がなされていないと判定された場合（ステップＳＣ−６：Ｎｏ）、この処理を終了する。
【０１３４】
以上で、第３の実施形態におけるＢＩＭ装置４００の処理の一例の説明を終える。
【０１３５】
このように、上述した第１〜第３の実施形態によれば、利用者により入力される作成条件に対応する昇降機のＢＩＭパーツを、パーツ情報を用いて作成する。そして、第１〜第３の実施形態によれば、例えば、作成されたＢＩＭパーツを建築物のＢＩＭモデルに組み込んだ統合ＢＩＭモデルを含むレイアウト画面を生成し、生成されたレイアウト画面を表示させる。よって、第１〜第３の実施形態によれば、利用者が昇降機の設備計画を提案する際、建築物に昇降機を組み込んだ状態を視覚的に分かりやすく表示することができる。また、利用者は、昇降機を設置する建築物の設計段階から施工、竣工後、リニューアル（改修）時等の全体を通したシミュレーションを行うことができる。これにより、利用者は、昇降機を設置する建築物の設計において、全体的な管理及び確認を行えるので、客先の要望をより良く反映した提案が容易となる。その結果、本実施形態によれば、利用者は、打合せ時間の短縮ができ、不具合発生率の低減もでき、更に、再製作時等のコストを抑制することができる。
【０１３６】
［他の実施の形態］
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【０１３７】
例えば、上述の実施形態は、昇降機としてエレベータを例にあげて説明したが、エスカレータ、動く歩道等の乗客コンベアについても同様に適用できる。
【０１３８】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１３９】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１４０】
また、端末装置１００、サーバ装置２００、及び、ＢＩＭ装置４００に関して、図示の各構成要素は機能概念的なものであり、必ずしも物理的に図示の如く構成されていることを要しない。
【０１４１】
例えば、端末装置１００、サーバ装置２００、及び、ＢＩＭ装置４００の各装置が備える処理機能、特に制御部１０２、制御部２０２、及び、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）及び当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、サーバ装置２００、及び、ＢＩＭ装置４００に機械的に読み取られる。すなわち、ＲＯＭまたはＨＤＤなどの記憶部１０６、記憶部２０６、及び、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１４２】
また、このコンピュータプログラムは、端末装置１００、サーバ装置２００、及び、ＢＩＭ装置４００に対して任意のネットワーク３００を介して接続されたアプリケーションプログラムサーバに記憶されていてもよく、必要に応じてその全部または一部をダウンロードすることも可能である。
【０１４３】
また、プログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、及び、Ｂｌｕ−ｒａｙ  Ｄｉｓｃ等の任意の「可搬用の物理媒体」を含むものとする。
【０１４４】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１４５】
記憶部１０６、記憶部２０６、及び、記憶部４０６に格納される各種のデータベース等（ＢＩＭモデルデータベース１０６ａ、パーツ情報データベース２０６ａ、パーツ情報データベース４０６ａ、ＢＩＭモデルデータベース４０６ｂ）は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【０１４６】
また、端末装置１００、サーバ装置２００、及び、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、及び、ＢＩＭ装置４００は、該情報処理装置に本実施形態の方法を実現させるソフトウェア（プログラム、データ等を含む）を実装することにより実現してもよい。
【０１４７】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１４８】
以上で説明した実施形態、変形例に係るＢＩＭシステム、サーバ装置、端末装置、方法及びプログラムによれば、昇降機の設備計画を提案する際、提案する昇降機を視覚的に分かりやすく表示することができる。
【符号の説明】
【０１４９】
１０、２０    ＢＩＭシステム
１００  端末装置
１０２  制御部
１０２ａ  条件送信部
１０２ｂ  情報取得部
１０２ｃ  画面生成部
１０２ｄ  画面表示部
１０２ｅ  解析部
１０４  通信制御インターフェース部
１０６  記憶部
１０６ａ  ＢＩＭモデルデータベース
１０８  入出力制御インターフェース部
１１４  表示部
１１６  音声出力部
１１８  入力部
２００  サーバ装置
２０２  制御部
２０２ａ  条件受信部
２０２ｂ  昇降機モデリング部
２０２ｃ  解析部
２０２ｄ  情報提供部
２０４  通信制御インターフェース部
２０６  記憶部
２０６ａ  パーツ情報データベース
３００  ネットワーク
４００  ＢＩＭ装置（ＢＩＭシステム）
４０２  制御部
４０２ａ  条件設定部
４０２ｂ  昇降機モデリング部
４０２ｃ  解析部
４０２ｄ  画面生成部
４０２ｅ  画面表示部
４０６  記憶部
４０６ａ  パーツ情報データベース
４０６ｂ  ＢＩＭモデルデータベース
４０８  入出力制御インターフェース部
４１４  表示部
４１６  音声出力部
４１８  入力部
【図１】
0005518944.tif 000002
【図２】
0005518944.tif 000003
【図３】
0005518944.tif 000004
【図４】
0005518944.tif 000005
【図５】
0005518944.tif 000006
【図６】
0005518944.tif 000007
【図７】
0005518944.tif 000008
【図８】
0005518944.tif 000009
【図９】
0005518944.tif 000010
【図１０】
0005518944.tif 000011
【図１１】
0005518944.tif 000012
【図１２】
0005518944.tif 000013
【図１３】
0005518944.tif 000014
【図１４】
0005518944.tif 000015
【図１５】
0005518944.tif 000016
【図１６】
0005518944.tif 000017
【図１７】
0005518944.tif 000018